(57)【要約】  本発明は、シート材料から製造された使い捨て容器（２００）に関し、使い捨て容器は、平坦であって使い捨て容器が立つことができる表面を形成するベース（２０６）と、ベースから上方に延出した、前壁（２０１）、右壁（２０２）、左壁（２０３）、及び後壁（２０４）を有し、前壁と後ろ壁が凸状であり、上端部（２０７）が右壁及び左壁は凹状であり、前壁と右壁と左壁と後壁とを接続している。
2020507430.tif 000002
【特許請求の範囲】
【請求項１】
シート材料から製造された使い捨て容器（２００）であって、
前記使い捨て容器が立つことができるベース（２０６）、前壁（２０１）、右壁（２０２）、左壁（２０３）、前記ベースから上方に延びる後壁（２０４）、上端（２０７）、を備え、
右壁および左壁は、前記ベースから上方に延びる折り線（８０、８１、１８１、１８２）を介して前壁および後壁に接続され、側壁折り線（１４、１５）がベースから上方に延び、
中央ベース折り線（６６）が前記ベースに沿って延び、使い捨て容器は側壁折り線（１４、１５）を展開する、使い捨て容器。
【請求項２】
前記前壁および前記後壁は凸状であり、前記右壁および前記左壁は凹状であり、前記正面図において、前記使い捨て容器は腰部（３５）を有し、前記腰部は前記ベースにおいて前部幅（Ｗ２）よりも小さく、前記上端において前部幅（Ｗ３）よりも小さい前部幅（Ｗ１）を有し、特に、前記前部幅は前記ベースから前記腰部セクションへ徐々に減少し、前記腰部セクションから前記上端へ徐々に増加し、前記ベースは正方形または長方形の形状を有し、前記ベースは平坦であり、前記容器が立つことができる表面を形成し、前記ベースのコーナー（２１４、２１５、２１６、２１７）は前記使い捨て容器が作製されるブランクの外縁（１９９）から内側に距離（Ｄ３）を置いて位置し、前記容器は使い捨て小便器を形成し、
前記前壁（２０１）は、
ピー開口部（２０９）、または、
ピー開口部（２０９）を形成するために、ピー開口部領域を除去するために、またはピー開口部領域を内側または外側に折り曲げるために、少なくとも部分的に弱められ、破壊されるように構成される周辺部（２０８）を有するピー開口部領域（２８）を含む、
請求項１に記載の使い捨て容器。
【請求項３】
前記前壁および前記後壁が凸状であり、前記右壁および前記左壁が凹状である、請求項１に記載の使い捨て容器。
【請求項４】
前記使い捨て容器は正面図において、ウエスト部（３５）を有し、前記ウエスト部は前記ベースにおける前部幅（Ｗ２）よりも小さく、前記上側における前部幅（Ｗ３）よりも小さい前部幅（Ｗ１）を有し、特に、前記前部幅は前記ベースから前記ウエスト部へと徐々に減少し、前記ウエスト部から前記上側のへと徐々に増加する、請求項３に記載の使い捨て容器。
【請求項５】
前記単一容器は側面図において、前記腰部の高さで最大に達する側部幅（Ｗ４）を有し、前記腰部の側部幅は前記ベースの側部幅（Ｗ５）よりも大きく、前記上側の側部幅（Ｗ６）よりも大きく、前記側部幅は特に、前記ベースから前記腰部へと徐々に増加し、前記腰部から前記上側へと徐々に減少する、請求項３又は請求項４に記載の使い捨て容器。
【請求項６】
前記ベースのコーナー（２１４、２１５、２１６、２１７）が、前記使い捨て容器が製造されるブランクの外縁（１９９）から内側に距離（Ｄ３）を置いて配置され、
特に、前記ベースが互いに折り重ねられ、接着接続を介して互いに接続される複数のベース部分（４４、４５、４６、４７）によって形成され、前記容器が前記ベースのコーナー（２１４、２１５、２１６、２１７）から離れて延びる斜めのベース折り線（５５）を含み、前記斜めのベース折り線が前記ベース部分（４４、４５、４６、４７）を相互接続し、または、
前記前壁（２０１）、右壁（２０２）、左壁（２０３）および前記後壁（２０４）が前記側壁の１つと一体であり、接着接続を介して隣接する側壁に取り付けられる接着フラップ（５８）を介して互いに接続され、前記容器がコーナーシートを含み、
各コーナーシートセクション（３２２）はベースの各コーナー（２１４、２１５、２１６、２１７）から離れて延在し、反対側の折り線（３２３）を介して隣接する壁に接続される相互接続折り線（３２０）を介して側壁（２０１、２０２、２０３、２０４）の接着フラップ（５８）に接続され、
コーナーシートセクション（３２２）は相互接続折り線（３２０）の周りおよび反対側の折り線（３２３）の周りに折り曲げられ、
コーナーシートセクション（３２２）は一方の側で隣接する壁への接着接続で接続され、他方の側で接着接続を介して接着フラップに接続される、
請求項１〜５のいずれかに記載の使い捨て容器。
【請求項７】
前壁（２０１）、右壁（２０２）、左壁（２０３）、および後壁（２０４）のそれぞれが、ベース折り線を介してベースに一体的に接続される、請求項１〜６のいずれかに記載の使い捨て容器。
【請求項８】
各ベースが、それぞれのベース折り線（４０、４１、４２、４３）を介して、ベースから上方に延在する壁（２０１、２０２、２０３、２０４）のうちの１つに一体的に接続される、請求項６または７に記載の使い捨て容器。
【請求項９】
前記前壁と前記後壁とが上端で合流し、前記左壁と前記右壁とが上端で合流しない、先行する請求項のいずれかに記載の使い捨て容器。
【請求項１０】
前記ベースは正方形または長方形の形状を有し、前記ベースは平坦であり、前記容器が立つことができる表面を形成する、先行する請求項のいずれかに記載の使い捨て容器。
【請求項１１】
ベースの前右隅部（２１４）から上方に延在する湾曲した前右縁部（２１０）と、ベースの前左隅部（２１５）から上方に延在する湾曲した前左縁部（２１１１）と、ベースの後右隅部（２１６）から上方に延在する湾曲した右後縁部（２１２）と、ベースの後左隅部（２１７）から上方に延在する湾曲した左後縁部（２１３）とを備え、
湾曲した右前縁部および湾曲した右後縁部は上端で交わり、
湾曲した左前縁部および湾曲した左後縁部は、上端で交わる、
先行する請求項のいずれかに記載の使い捨て容器。
【請求項１２】
前記前壁（２０１）が、
ピー開口部（２０９）、または、
ピー開口部（２０９）を形成するために、ピー開口部領域を除去するために、またはピー開口部領域を内側または外側に折り曲げるために、少なくとも部分的に弱められ、破壊されるように構成される周辺部（２０８）を有するピー開口部領域（２８）を含む、
使い捨ての小便器を形成する、先行する請求項のいずれかに記載の使い捨て容器。
【請求項１３】
前記上端は、左右のコーナー（２２１、２２２）を内側に押すことによって、ユーザによって開かれ、それによって、上部開口部（２２０）を形成する、先行する請求項のいずれかに記載の使い捨て容器。
【請求項１４】
少なくとも１つの側壁（２０２，２０３）が、
ピー開口部（２０９）、または、
ピー開口部（２０９）を形成するために、ピー開口部領域を除去するために、またはピー開口部領域を内側または外側に折り曲げるために、少なくとも部分的に弱められ、破壊されるように構成される周辺部（２０８）を有するピー開口部領域（２８）、を含む、使い捨ての小便器を形成する、先行する請求項のいずれかに記載の使い捨て容器：
【請求項１５】
前記ピー開口部（２０９）またはピー開口領域（２８）は、前記腰部の高さに設けられる、請求項１２〜１４のいずれかに記載の使い捨て容器。
【請求項１６】
前壁の第１のピー開口部またはピー開口領域と、
後壁の第２のピー開口部またはピー開口領域と、を含み、第２のピー開口部または第２のピー開口領域は、第１のピー開口部またはピー開口領域とは異なるサイズまたは形状を有する、  以下を含む、請求項１２〜１５のいずれかに記載の使い捨て容器。
【請求項１７】
前壁（２０１）、右壁（２０２）、左壁（２０３）、および後壁（２０４）が、ベースの３つの隅部（２１４、２１５、２１６）から上方に延在する３つの直立縁部（２１０、２１１、２１２）を形成する３つの折り線（８０、８１、１８１）を介して互いに一体に接続され、特に２つの壁（２０１、２０４）がベースの第４の隅部（２１７）から上方に延在し、第４の折り線（１８２）を形成する第４の直立縁部（２１３）で接着接続を介して互いに接続される、先行する請求項のいずれかに記載の使い捨て容器。
【請求項１８】
前記容器は対向する凹面壁（２０２、２０３）内に２つのピー開口またはピー開口領域を含まない、先行する請求項のいずれかに記載の使い捨て容器。
【請求項１９】
前記上端部が開放可能であり、前記使い捨て容器が圧搾されて開かれ、シックバッグとして使用されることを可能にする、先行する請求項のいずれかに記載の使い捨て容器。
【請求項２０】
前記ベースは、
左ベース折り線（４０）を介して左壁に接続された左ベース（４４）、
前側ベース折り曲げ線（４１）を介して前側壁に接続された前側ベース（４５）、
右ベース折り線（４２）を介して右壁に接続された右ベース（４６）、
後ベース折り線（４３）を介して後壁に接続された後ベース部分（４７）、を含み、
ベースが４つのコーナー（２１４、２１５、２１６、２１７）を有し、対角ベース折り線（５４、５５、５６、５７）が各コーナーから延在し、対角ベース折り線が左ベース部分、前ベース部分、右ベース部分、および後ベース部分を相互接続し、左ベース部分、前ベース部分、右ベース部分、および後ベース部分が互いに折り畳まれ、接着剤を介して互いに接続される、
先行する請求項のいずれかに記載の使い捨て容器。
【請求項２１】
前記左ベースおよび右ベースは前記前および後ベースの内側（６４）に対して接着される重なり部分（４８）を含み、前記重なり部分および前記対角ベース折り線を含む前記前および後ベース（４５、４７）は液密シールを形成するために、前記左および右ベースの外側（６５）に対して折り重ねられ、接着される、先行する請求項に記載の使い捨て容器。
【請求項２２】
前記ベースは前記容器が製造されるブランクのベース（１３）によって形成され、前記前壁、右壁、左壁、および後壁は前記容器が製造されるブランクの壁部から形成され、前記ベースは単一のベース周囲折り線（３０）によって前記壁部から境界が定められ、前記ベース周囲折り線は直線であり、特に、前記ブランクの周囲の一部を形成するベース区分縁部（３０２）もまた直線である、先行する請求項のいずれかに記載の使い捨て容器。
【請求項２３】
前記前壁（２０１）の内側に取り付けられる内側ライナーバッグ（６００）を含み、前記内側ライナーバッグは、前記前壁の開口部（２８）と整列する開口部を含む、先行する請求項のいずれかに記載の使い捨て容器。
【請求項２４】
請求項１〜２３のいずれか一項に記載の使い捨て容器に拡張されるように構成された、折り畳まれた使い捨て容器（１００）であって、
前記折り畳まれた使い捨て容器は、シート材料から製造され、
中央ベース折り曲げ線（６６）に沿ってそれ自体の上に折り曲げられたベース（１３）と、
前部（７２）であって、形成される使い捨て容器の前壁（２０１）を画定する中央前部（７３）と、形成される使い捨て容器の左壁（２０３）の前部を画定する左前部（７４）と、形成される使い捨て容器の右壁（２０２）の前部を画定する右前部（７５）と、を含む前部（７２）と、
後部（７６）であって、
形成される使い捨て容器の後壁（２０４）を画定する中央後部と、形成される使い捨て容器の左壁（２０３）の後部を画定する左後部と、形成される使い捨て容器の右壁（２０２）の後部を画定する右後部と、を含む後部（７６）と、
上端（２０７）と、を備え、
中央前部は折り線（８０，８１）を介して左前部及び右前部に接続され、中央後部は折り線（１８１，１８２）を介して左前部及び右後部に接続され、
側壁折り線（１４，１５）は左右に延び、折りたたまれた使い捨て容器の右端（８２）及び左端（８２）を形成し、
中央ベース折り線（６６）はベースセクションに沿って延び、
前記折り畳まれた使い捨て容器は、前記折りたたまれた使い捨て容器の右端（８２）及び左端（８２）を押すことにより、折りたたまれた状態から拡大状態に変形するように構成され、側壁折り線（１４，１５）は左右に展開され、ベースは折りたたまれた使い捨て容器の拡大状態となる、折り畳まれた使い捨て容器。
【請求項２５】
形成される容器の前壁および後壁が凸状であり、形成される容器の右壁および左壁が凹状であり、
正面図において、折り畳まれた容器から形成される使い捨て容器は腰部（３５）を有し、腰部はベースにおいて前部幅（Ｗ２）よりも小さく、上端において前部幅（Ｗ３）よりも小さい前部幅（Ｗ１）を有し、特に前部幅はベースから腰部セクションまで徐々に減少し、腰部セクションから上端まで徐々に増加し、
ベースセクションは正方形または長方形の形状を有し、ベースは折り畳まれていないときに平坦であり、容器が立つことができる表面を形成し、
ベースセクションのコーナー（２１４、２１５、２１６、２１７）はブランクの外縁（１９９）から内側に距離（Ｄ３）を置いて位置し、折り畳まれた容器から形成される容器は使い捨て小便器を形成し、容器の前壁（２０１）は、
ピー開口部（２０９）、または、
ピー開口部（２０９）を形成するために、ピー開口部領域を除去するために、またはピー開口部領域を内側または外側に折り曲げるために、少なくとも部分的に弱められ、破壊されるように構成される周辺部（２０８）を有するピー開口部領域（２８）、を含む、請求項２４に記載の折り畳まれた使い捨て容器。
【請求項２６】
前記側壁折り線（１４、１５）の下部は一方向に展開されるように構成され、前記側壁折り線（１４、１５）の上部は反対方向に展開されるように構成される、請求項２４または２５に記載の折り畳まれた使い捨て容器。
【請求項２７】
前記左前部（７４）は左前部折り線（８０）によって前記中央前部（７３）から区切られ、前記右前部（７５）は右前部折り線（８１）によって前記中央前部（７３）から区切られ、前記左右前部折り線は湾曲し、前記中央前部において廃棄セクション（３５）を画定し、前記廃棄セクションは前記中央前部の下部および前記中央前部の上部において幅（Ｗ４、Ｗ５）よりも小さい幅（Ｗ３）を有し、前記左後部は左後部折り線（１８２）によって前記中央後部から区切られ、前記右後部は右後部（１８１）折り線によって前記中央後部から区切られ、前記左右後部折り線は湾曲し、前記中央後部において廃棄セクションを画定する、中央後部の下部および中央後部の上部よりも小さい幅を有するセクションであって、左前部および左後部は折り畳まれた使い捨て容器の左縁（８３）を内側に押すことによって使い捨て容器の凹状の左壁に一緒に変形可能であり、右前部および右後部は折り畳まれた使い捨て容器の右縁（８２）を内側に押すことによって使い捨て容器の凹状の右壁に一緒に変形可能であり、それによって折り畳まれた使い捨て容器を拡張状態に拡張し、凸状の前壁および後壁を形成する、
請求項２４〜２６のいずれかに記載の折り畳まれた使い捨て容器。
【請求項２８】
正面図において、右縁部（８２）が右上縁部（８４）および右下縁部（８５）を含み、
左縁部（８３）が左上縁部（８６）および左下縁部（８７）を含み、ベースがそれ自体の上に折り畳まれていることを特徴し、
右下縁は前下右縁部分（８５Ａ）および後右下縁部分（８５Ｂ）を含み、
左下縁は前左下縁部分（８７Ａ）および後左下縁部分（８７Ｂ）を含み、
右上縁、右下縁部分および右下縁部分は内側に押すことができる折り曲げ線を形成し、それによって、折り畳み式容器の拡張中に右壁を形成し、
左上縁、左下縁部分および左下縁部分は内側に押すことができる折り曲げ線を形成し、それによって、折り畳み式容器の拡張中に左壁を形成する
請求項２４〜２７のいずれかに記載の折り畳まれた使い捨て容器。
【請求項２９】
前記右上縁および右下縁は互いに対して１２０〜１６０度の角度ａで延在し、右側コーナー（９１）を画定し、前記左上縁および左下縁は互いに対して１２０〜１６０度の角度ａで延在し、左側コーナー（９２）を画定する、請求項２８に記載の折り畳まれた使い捨て容器。
【請求項３０】
正面図において、右下縁および左下縁が、折り畳まれた使い捨て容器の下ベース縁（８９）に対して１２０〜１６０度の角度βで延在する、請求項２８または２９に記載の折り畳まれた使い捨て容器。
【請求項３１】
前記ベースは互いに折り畳まれ、接着接続を介して互いに接続された複数のベース（４４、４５、４６、４７）によって形成され、各ベースはそれぞれのベース折り線（４０、４１、４２、４３）を介して、形成される容器のベースから上方に延在する壁（２０１、２０２、２０３、２０４）のうちの１つに一体的に接続される、請求項２４〜３０のいずれかに記載の折り畳まれた使い捨て容器。
【請求項３２】
前記ベースが、
左ベース折り線（４０）を介して左壁に接続された左ベース（４４）、
前側ベース折り曲げ線（４１）を介して前側壁に接続された前側ベース（４５）、
右ベース折り線（４２）を介して右壁に接続された右ベース（４６）、
後側ベース折り線（４３）を介して後側ベースに接続された後側ベース（４７）、を含み、
前記ベースは４つのコーナー（２１４，２１５，２１６，２１７）を有し、対角線（５４，５５，５６，５７）が各コーナーから延在し、前記対角線は、前記左側ベース、前記前側ベース、前記右側ベース及び前記後側ベースを相互接続する、
請求項２４〜３１のいずれかに記載の折り畳まれた使い捨て容器。
【請求項３３】
前記左側ベースおよび右側ベースは前記前側および後側ベースの内側（６４）に対して接着される重なり部分（４８）を含み、前記重なり部分および前記斜めのベース折り線を含む前記前側および後側ベース（４５、４７）は、前記左側および右側ベース（４４、４６）の外側（６５）に対して折り曲げられ接着される、先行する請求項に記載の折り畳まれた使い捨て容器。
【請求項３４】
前記前壁（２０１）は、
ピー開口部（２０９）、または、
ピー開口部（２０９）を形成するために、ピー開口部領域を除去するために、またはピー開口部領域を内側または外側に折り曲げるために、少なくとも部分的に弱められ、破壊されるように構成される周辺部（２０８）を有するピー開口部領域（２８）を含む、
シングルウォールを形成する、請求項２４〜３３のいずれかに記載の折り畳まれた使い捨て容器。
【請求項３５】
中央前部および中央後部は折り畳まれた使い捨て容器の上端で互いに取り付けられておらず、拡張形態では、使い捨て容器の上端が、使用者が左右の隅部（２２１、２２２）を内側に押すことによって開くことができ、それによって上部開口部（２２０）を作り出すことができる、請求項２４〜３４のいずれかに記載の折り畳まれた使い捨て容器。
【請求項３６】
単一用途の小便器を形成し、少なくとも１つの側壁（２０２，２０３）が、
ピー開口部（２０９）、または、ピー開口部（２０９）を形成するために、ピー開口部領域を除去するために、またはピー開口部領域を内側または外側に折り曲げるために、少なくとも部分的に弱められ、破壊されるように構成される周辺部（２０８）を有するピー開口部領域（２８）を含む、請求項２４〜３５のいずれかに記載の折り畳まれた使い捨て容器
【請求項３７】
前記ピー開口部（２０９）またはピー開口領域（２８）は、前記腰部の高さに設けられる、請求項２４〜３６のいずれかに記載の折り畳まれた使い捨て容器。
【請求項３８】
前壁の第１のピー開口部またはピー開口領域と、後壁の第２のピー開口部またはピー開口領域とであり、第２のピー開口部または第２のピー開口領域は、第１のピー開口部またはピー開口領域とは異なるサイズまたは形状を有する、請求項２４〜３７のいずれかに記載の折り畳まれた使い捨て容器。
【請求項３９】
前壁（２０１）、右壁（２０２）、左壁（２０３）および後壁（２０４）の各々が折り線を介してベースに一体的に接続され、特に前壁（２０１）、右壁（２０２）、左壁（２０３）および後壁（２０４）が接着接続を介して互いに接続される、請求項２４〜３８のいずれかに記載の折り畳まれた使い捨て容器。
【請求項４０】
前壁（２０１）の内側に取り付けられる内側ライナーバッグ（６００）を含み、内側ライナーバッグは、前壁の開口部（２８）と整列する開口部を含む、請求項２４〜３９のいずれかに記載の折り畳まれた使い捨て容器。
【請求項４１】
請求項２１〜３５のいずれか一項に記載の折り畳まれた使い捨て容器（１００）を製造するためのブランク（１０）であって、
ベースセクション（１３）、壁セクション（１１）、および上端セクション（１２）を備え、
前記ベースセクションは、ベース折りたたみ線（３０）によって壁セクションとの境界が定められ、
壁セクションは前壁ゾーン（３１）、後壁ゾーン（３２）、右壁ゾーン（３３）、および左壁ゾーン（３４）を含み、
前壁ゾーンおよび後壁ゾーンは右壁ゾーンおよび左壁ゾーンにわたって延在する、ブランク。
【請求項４２】
前記前壁ゾーンは、
ピー開口部（２０９）、または、
少なくとも部分的に弱められ、ピー開口部領域を内側または外側に折り畳むように構成されたピー開口部領域（２０８）を有するピー開口部領域（２８）であって、ピー開口部領域を内側または外側に取り除くように破壊されるように構成されたピー開口部（２０９）、を含み、
前壁ゾーンおよび後壁ゾーンは前壁ゾーンおよび後壁ゾーンの底部における幅よりも小さく、前壁ゾーンおよび後壁ゾーンの頂部における幅よりも小さい幅を有するウエストセクション（３５）を有し、
右壁ゾーンおよび左壁ゾーンは右壁ゾーンおよび左壁ゾーンの底部における幅よりも大きく、右壁ゾーンおよび左壁ゾーンの頂部における幅よりも大きい幅を有するベリーセクション（３６）を有し、
折り畳まれた使い捨て容器（１００）から形成される容器の前壁および後壁は凹状であり、折り畳まれた使い捨て容器（１００）から形成される容器の右壁および左壁は凸状であり、
ベースは正方形または長方形の形状を有し、ベースは展開されたときに平坦であり、容器が立つことができる表面を形成し、
ベースのコーナー（２１４、２１５、２１６、２１７）はブランクの外縁（１９９）から内側に距離（Ｄ３）を置いて位置する、
請求項４１に記載のブランク。
【請求項４３】
前記前壁ゾーンおよび前記後壁ゾーンは前記前壁ゾーンおよび前記後壁ゾーンの底部における幅よりも小さく、前記前壁ゾーンおよび前記後壁ゾーンの頂部における幅よりも小さい幅を有する腰部セクション（３５）を有し、
前記右壁ゾーンおよび前記左壁ゾーンは、前記右壁ゾーンおよび前記左壁ゾーンの底部における幅よりも大きく、前記右壁ゾーンおよび前記左壁ゾーンの頂部における幅よりも大きい幅を有する腹部セクション（３６）を有する、請求項４１に記載のブランク。
【請求項４４】
前壁ゾーン、右壁ゾーン、左壁ゾーン、および後壁ゾーンは、３つの折り線（８０、８１、１８１）を介して互いに一体的に接続される、請求項４１〜４３に記載のブランク。
【請求項４５】
ベース周囲折り線が左ベース折り線（４０）、前ベース折り線（４１）、右ベース折り線（４２）、および後ベース折り線（４３）を含み、
ベースセクションが複数のベース部分（４４、４５、４６、４７）を含み、各ベース部分が、それぞれのベース折り線（４０、４１、４２、４３）を介して、前壁ゾーン、右壁ゾーン、左壁ゾーン、および後壁ゾーンのうちの１つに一体的に接続される、
請求項４１〜４４のいずれかに記載のブランク。
【請求項４６】
前記ベースが、
左ベース折り線（４０）を介して左壁ゾーンに接続された左ベース部分（４４）、
前ベース折り線（４１）を介して前壁ゾーンに接続された前ベース部分（４５）、
右ベース折り線（４２）を介して右壁ゾーンに接続された右ベース部分（４６）、
後ベース折り線（４３）を介して後壁ゾーンに接続された後ベース部分（４７）、
を含み、
ブランクは使い捨て容器の４つのコーナーを形成するように構成された４つのコーナー位置（５０、５１、５２、５３）を有し、対角ベース折り線（５４、５５、５６、５７）が各コーナー位置から延在し、対角ベース折り線は、左ベース部分、前ベース部分、右ベース部分、および後ベース部分を相互接続する、
請求項４５記載のブランク。
【請求項４７】
前記左ベースおよび右ベースは前記前および後ベースの内側（６４）に対して接着されるように構成されたオーバーラップ部分（４８）を含み、前記オーバーラップ部分（４８）および前記対角ベース折り線（５４、５５、５６、５７）を含む前記前および後ベース（４５、４７）は、前記左および右ベースの外側（６５）に対して折り畳まれて接着されるように構成される、請求項４６に記載のブランク。
【請求項４８】
前記壁部分の湾曲した左縁部（５９）または右縁部（６０）に沿って延びる側部接続フラップ（５８）を含み、前記側部接続フラップは前記使い捨て容器の周方向側壁を形成するために、反対側の側壁領域（６１）に接続されるように構成される、請求項４１〜４７のいずれかに記載のブランク。
【請求項４９】
折り畳まれた使い捨て容器のベースのコーナーおよび使い捨て容器のベースのコーナーを形成するように構成されたブランクのコーナー位置（５０、５１、５２、５３）は、ブランクの外縁（１９９）から内側に距離（Ｄ３）を置いて位置する、請求項４１〜４８のいずれかに記載のブランク。
【請求項５０】
前記前壁ゾーンは、請求項４１〜４９のいずれかに記載のブランク:
ピー開口部（２０９）、または、ピー開口部（２０９）を形成するために、ピー開口部領域を除去するために、またはピー開口部領域を内側または外側に折り曲げるために、少なくとも部分的に弱められ、破壊されるように構成される周辺部（２０８）を有するピー開口部領域（２８）、を含む、
請求項４１〜４９のいずれかに記載のブランク。
【請求項５１】
少なくとも右壁ゾーンまたは左壁ゾーンが、
ピー開口部（２０９）、または、ピー開口部（２０９）を形成するために、ピー開口部領域を除去するために、またはピー開口部領域を内側または外側に折り曲げるために、少なくとも部分的に弱められ、破壊されるように構成される周辺部（２０８）を有するピー開口部領域（２８）、を含む、
請求項４１〜５０のいずれかに記載のブランク。
【請求項５２】
前記ピー開口部（２０９）またはピー開口領域（２８）は、前記腰部の高さに設けられる、請求項４１〜５１のいずれかに記載のブランク。
【請求項５３】
前壁ゾーン内の第１のピー開口またはピー開口領域と、後壁ゾーン内の第２のピー開口またはピー開口領域とであって、第２のピー開口または第２のピー開口領域が、第１のピー開口またはピー開口領域とは異なるサイズまたは形状を有する、ピー開口またはピー開口領域、を含む、請求項４１〜５２のいずれかに記載のブランク。
【請求項５４】
前記ベース（１３）はブランクの中央に位置し、ベースは正方形または長方形の形状を有するベース周囲折り線（３０）によって壁部分から境界が定められ、壁部分は互いに分離した複数の壁ゾーン（３１、３２、３３、３４）を含み、前壁ゾーン(３１)、後壁ゾーン（３２）、右壁ゾーン（３３）および左壁ゾーン（３４）の各々は、折り線を介して前記中央に位置するベースセクションの側部に一体的に接続され、中央に位置するベースセクションから離れるように延びる、
請求項４４〜４７を除く、請求項４１〜５３のいずれかに記載のブランク。
【請求項５５】
前記壁ゾーン（３１、３２、３３、３４）のうちの少なくとも２つ、特に左側壁ゾーンおよび右側壁ゾーンが、４つの壁ゾーン間に接着接続を形成するための接着フラップ（５８）を含む、先行する請求項に記載のブランク。
【請求項５６】
前記ベース周囲折り線（３０）は直線であるか、または単一のコーナー（４５０）のみを含み、
前記ブランク（１０）は特に、前記ブランクの周囲の一部を形成するベースセクション縁部（３０２）を有し、前記ベースセクション縁部（３０２）は、直線であるか、または単一のコーナーのみを含む、
請求項４１〜５３のいずれかに記載のブランク。
【請求項５７】
前記ブランクは前記ベース折り線（６６）に対して対称であり、前記ベースセクション（１３０）は４つの側面を有し、前記ベースセクションの２つの側面は前記壁ゾーン（３１、３２、３３、３４）の１つに一体的に接続され、前記ベースセクションの２つの側面は前記壁ゾーン（３１、３２、３３、３４）のいずれにも一体的に接続されていない、
請求項４４〜４７を除く請求項４１〜５６のいずれかに記載のブランク。
【請求項５８】
前壁ゾーン（３１）、後壁ゾーン（３２）、右壁ゾーン（３３）および左壁ゾーン（３４）を接着接続によって円周壁に相互接続することを含む、請求項４１〜５７のいずれか一項に記載のブランクから、請求項２４〜４０のいずれか一項に記載の折り畳まれた使い捨て容器を製造する方法。
【請求項５９】
複数のベース（４４、４５、４６、４７）を互いに折り曲げ、接着剤接続を介してベースを互いに接続することを含む、請求項１に記載の方法。
【請求項６０】
左ベース、前ベース、右ベースおよび後ベースを互いに折り曲げてベースを形成することを含み、右ベースおよび左ベースの重なり部分は接着接続によって前ベースおよび後ベースの内側に取り付けられ、重なり部分および対角ベース折り線を含む前ベースおよび後ベースは右ベースおよび左ベースの外側上に折り曲げられ、接着接続によってそこに取り付けられる、請求項５８または５９に記載の方法。
【請求項６１】
前壁ゾーン（３１）、後壁ゾーン（３２）、右壁ゾーン（３３）および左壁ゾーン（３４）を、それらがベースに連結される折り線上に折り曲げ、前壁ゾーン（３１）、後壁ゾーン（３２）、右壁ゾーン（３３）および左壁ゾーン（３４）の間に、特に接着フラップを介して接着接続を形成することを含む、請求項５４または５７にベースのブランクから請求項４１にベースの折りたたまれた使い捨て容器を形成するための請求項５８にベースの方法。
【請求項６２】
請求項２４〜４０のいずれかに縁部の折り畳まれた容器（１００）から請求項１〜２３のいずれかに縁部の使い捨て容器（２００）を形成する方法であって、前記方法は、折り畳まれた使い捨て容器の左縁（８３）および右縁（８２）を内側に押すことと、凹状の右壁および左壁ならびに凸状の前壁および後壁を形成することとを含む、方法。
【請求項６３】
シート材料から製造された使い捨て容器（５００）であって、
使い捨て容器が立ち上がることができるベース（２０６）、ベースから上方に伸びる前壁（２０１）、右壁（２０２）、左壁（２０３）および後壁（２０４）であって、前壁（２０１）、右壁（２０２）、左壁（２０３）および後壁（２０４）は直線であり、容器は折りたたまれた使い捨て容器の左縁（８３）および右縁（８２）を内側に押すことによって、折りたたまれた使い捨て容器から形成され、それによって、右壁および左壁を形成し、ベース内にベースを展開し、折りたたまれた使い捨て容器を展開状態に展開する、
使い捨て容器。
【請求項６４】
前記容器は側面図において、三角形の形状を有し、側面図において、前記前壁および前記後壁は、前記上端で出会う、請求項６３に記載の使い捨て容器。
【請求項６５】
側面図において、前記容器は、正方形、長方形または台形の形状および屋根部分を有する、請求項６３に記載の使い捨て容器。
【請求項６６】
前記容器は、正面図において、正方形、長方形、または台形の形状を有する、請求項６３〜６５のいずれかに記載の使い捨て容器。
【請求項６７】
前記ベースは正方形または長方形の形状を有し、前記ベースは平坦であり、前記容器が立つことができる表面を形成する、請求項６３〜６６のいずれかに記載の使い捨て容器。
【請求項６８】
前記前壁（２０１）は、
ピー開口部（２０９）、または、ピー開口部（２０９）を形成するために、ピー開口部領域を除去するために、またはピー開口部領域を内側または外側に折り曲げるために、少なくとも部分的に弱められ、破壊されるように構成される周辺部（２０８）を有するピー開口部領域（２８）、を含み、
使い捨て小便器を形成する、請求項６３〜６７のいずれかに記載の使い捨て容器。
【請求項６９】
前記上端は、前記左右の隅部（２２１、２２２）を内側に押すことによって使用者によって開放され、それによって上部開口部（２２０）を作り出すことができる、請求項６３〜６８のいずれかに記載の使い捨て容器。
【請求項７０】
少なくとも１つの側壁（２０２，２０３）が、
ピー開口部（２０９）、または、ピー開口部（２０９）を形成するために、ピー開口部領域を除去するために、またはピー開口部領域を内側または外側に折り曲げるために、少なくとも部分的に弱められ、破壊されるように構成される周辺部（２０８）を有するピー開口部領域（２８）、を含み、
使い捨ての小便器を形成する、請求項６３〜６９のいずれかに記載の使い捨て容器。
【請求項７１】
前壁の第１のピー開口部またはピー開口領域と、後壁の第２のピー開口部またはピー開口領域とを含み、第２のピー開口部または第２のピー開口領域は、第１のピー開口部またはピー開口領域とは異なるサイズまたは形状を有する、
請求項６３〜７０のいずれかに記載の使い捨て容器。
【請求項７２】
ピー開口部（２０９）またはピー開口部領域（２８）の中心が、折り畳まれた容器の高さの４０〜６０パーセントで提供される、請求項６３〜７１のいずれかに記載の使い捨て容器。
【請求項７３】
前壁（２０１）、右壁（２０２）、左壁（２０３）、および後壁（２０４）がベースの３つの隅部（２１４、２１５、２１６）から上方に延びる３つの直立縁部（２１０、２１１、２１２）を形成する３つの折り線（８０、８１、１８１）を介して互いに一体に接続され、特に２つの壁（２０１、２０４）がベースの第４の隅部（２１７）から上方に延びる第４の直立縁部（２１３）で接着接続を介して互いに接続される、請求項６３〜７２のいずれかに記載の使い捨て容器。
【請求項７４】
前記シート材料が、厚紙、多層「カップストック」、またはバガスシートで請求項６３〜７３のいずれかに記載の使い捨て容器。
【請求項７５】
前記ベースは互いに折り畳まれ、接着接続を介して互いに接続された複数のベース（４４、４５、４６、４７）によって形成され、各ベースはそれぞれのベース折り線（４０、４１、４２、４３）を介して、前記ベースから上方に延びる壁（２０１、２０２、２０３、２０４）のうちの１つに一体的に接続される、請求項６３７４のいずれかに記載の使い捨て容器。
【請求項７６】
前記ベースは、
左ベース折り線（４０）を介して左壁に接続された左ベース（４４）と、
前ベース折り線（４１）を介して前壁に接続された前ベース（４５）と、
右ベース折り線（４２）を介して右壁に接続された右ベース（４６）と、
後ベース折り線（４３）を介して後壁に接続された後ベース部分（４７）と、
を含み、
前記ベースが４つのコーナー（２１４、２１５、２１６、２１７）を有し、対角ベース折り線（５４、５５、５６、５７）が各コーナーから延在し、対角ベース折り線が左ベース部分、前ベース部分、右ベース部分、および後ベース部分を相互接続し、左ベース部分、前ベース部分、右ベース部分、および後ベース部分が互いに折り畳まれる、
請求項６３〜７５のいずれかに記載の使い捨て容器。
【請求項７７】
前記左ベースおよび右ベースは前記前および後ベースの内側（６４）に対して接着される重なり部分（４８）を含み、前記重なり部分および前記斜めのベース折り線を含む前記前および後ベース（４５、４７）は液密シールを形成するために、前記左および右ベースの外側（６５）に対して折り重ねられ、接着される、請求項６３〜７６のいずれかに記載の使い捨て容器。
【請求項７８】
前記容器は折り畳まれた使い捨て容器の左縁（８３）および右縁（８２）を内側に押し、それによって折り畳まれた使い捨て容器を拡張状態に拡張することによって、折り畳まれた使い捨て容器から形成されている、請求項６３〜７７のいずれかに記載の使い捨て容器。
【請求項７９】
ベースの前右隅部（２１４）から上方に延びる直線前右縁部（２１０）と、ベースの前左隅部（２１５）から上方に延びる直線前左縁部（２１１１）と、ベースの後右隅部（２１６）から上方に延びる直線右後縁部（２１２）と、ベースの後左隅部（２１７）から上方に延びる直線左後縁部（２１３）とを含む、請求項６３〜７８のいずれかに記載の使い捨て容器。
【請求項８０】
前壁（２０１）、右壁（２０２）、左壁（２０３）および後壁（２０４）の各々が折り線を介してベースに一体的に接続され、前壁（２０１）、右壁（２０２）、左壁（２０３）および後壁（２０４）が接着接続を介して互いに接続される、請求項７３および７５〜７７を除く請求項６３〜７９のいずれかに記載の使い捨て容器。
【請求項８１】
前記壁（２０１、２０２、２０３、２０４）の少なくとも２つが、接着フラップ（５８）を介して互いに接続され、
接着フラップ（５８）の下端において、コーナーシート部（３２２）が設けられ、コーナーシート部（３２２）は容器のコーナー（２１４、２１５、２１６、２１７）から離れるように延びる斜めの折り線（３２０）を介して前記接着フラップに接続され、反対の折り線（３２３）を介して隣接する壁に接続され、
コーナーシート部（３２２）は斜めの折り線の周りに反対の折り線の周りに折り曲げられ、一方の側で隣接する壁に接着接続で接続され、他方の側で接着接続を介して接着フラップに接続される、請求項８０に記載の使い捨て容器
【請求項８２】
前記屋根部分が、前記上部開口部を介して体液または人間の排泄物を挿入することを可能にする屋根開口部（３１３）を備える、請求項６５〜８１のいずれかに記載の使い捨て容器。
【請求項８３】
前記屋根部分は複数の屋根部分（３３０）を含み、各屋根部分は、屋根折り線（３３１）を介して壁（２０１、２０２、２０３、２０４）に一体的に接続される、請求項６５〜８２のいずれかに記載の使い捨て容器。
【請求項８４】
前記屋根部分の前記上部開口部は、第１の幅広曲線と、第２の反対側のより小さい曲線と、前記第１の曲線と前記第２の曲線との間の丸い狭窄部とを有する丸い形状を有する、請求項８２または８３に記載の使い捨て容器。
【請求項８５】
前壁（２０１）の内側に取り付けられる内側ライナーバッグ（６００）を含み、内側ライナーバッグは、前壁の開口部（２８）と整列する開口部を含む、請求項６３〜８４のいずれかに記載の使い捨て容器。
【請求項８６】
先行する請求項のいずれかに記載の使い捨て容器に拡張されるように構成された折り畳まれた使い捨て容器（１００）であって、折り畳まれた使い捨て容器は、シート材料から製造され、
中央ベース折り曲げ線（６６）に沿ってそれ自体の上に折り曲げられたベース（１３）と、前部（７２）とを含み:
形成される使い捨て容器の前壁（２０１）を画定する中央前部（７３）と、形成される使い捨て容器の左壁（２０３）の前部を画定する左前部（７４）と、形成される使い捨て容器の右壁（２０２）の前部を画定する右前部（７５）と、を含む後部（７６）とを含み、
形成されるべき使い捨て容器の後壁（２０４）を画定する中央後部、形成されるべき使い捨て容器の左壁（２０３）の後部を画定する左後部、形成されるべき使い捨て容器の右壁（２０２）の後部を画定する右後部、前部と後部が出会う上端（２０７）、左前部（７４）が左前部折り線（８０）によって中央前部（７３）から境界を定められ、右前部（７５）が右前部折り線（８１）によって中央前部（７３）から境界を定められ、左前部および右前部折り線は直線であり、左後部は左後部折り線によって中央後部から境界を定められ、右後部は右によって中央後部から境界を定められ、左右の後部折り線が直線である後部折り線である、
折り畳まれた使い捨て容器。
【請求項８７】
折り畳まれたシングルユース容器は折り畳まれたシングルユース容器の右縁（８２）および左縁（８２）を内側に押し、それによって右壁および左壁を形成し、ベースセクションをベースに広げることによって、拡張状態に拡張することができる、請求項８６に記載の折り畳まれたシングルユース容器。
【請求項８８】
正面図において、右縁部（８２）が右上縁部（８４）および右下縁部（８５）を含み、左縁部（８３）が左上縁部（８６）および左下縁部（８７）を含み、ベースがそれ自体の上に折り畳まれている、折り畳まれた使い捨て容器であって、
右下縁は前下右縁部分（８５Ａ）および後右下縁部分（８５Ｂ）を含み、左下縁は前下左縁部分（８７Ａ）および後左下縁部分（８７Ｂ）を含み、右上縁、右下縁部分および右下縁部分は内側に押すことができる折り曲げ線を形成し、それによって、折り畳み式容器の拡張中に真っ直ぐな右壁を形成し、左上縁、左下縁部分および左下縁部分は内側に押すことができる折り曲げ線を形成し、それによって、折り畳み式容器の拡張中に真っ直ぐな左壁を形成する、
請求項８６または８７に記載の折り畳まれた使い捨て容器。
【請求項８９】
右上縁および右下縁が互いに対して９０〜１５０度の角度ａで延在し、右側コーナー（９１）を画定し、左上縁および左下縁が互いに対して９０〜１５０度の角度ａで延在し、左側コーナー（９２）を画定する、請求項８８に記載の折り畳まれた使い捨て容器。
【請求項９０】
右縁（８２）が３つの部分（８５、８４、３６２）および２つのコーナー（９１、３６２）を含み、左縁が３つの部分（８７、８６、３６０）および２つのコーナー（９２、３６０）を含む、請求項８６〜８９のいずれかに記載の折り畳まれた使い捨て容器。
【請求項９１】
前記ベースは互いに折り畳まれ、接着接続を介して互いに接続された複数のベース（４４、４５、４６、４７）によって形成され、各ベースはそれぞれのベース折り線（４０、４１、４２、４３）を介して、形成される容器のベースから上方に延在する壁（２０１、２０２、２０３、２０４）のうちの１つに一体的に接続される、請求項８６〜９０のいずれかに記載の折り畳まれた使い捨て容器。
【請求項９２】
前記ベースが、
左側のベース折り線（４０）を介して左側の壁に接続された左側のベース部分（４４）、
前側のベース折り線（４１）を介して前側の壁に接続された前側のベース部分（４５）、
右側のベース折り線（４２）を介して右側の壁に接続された右側のベース部分（４６）、
後側のベース折り線（４３）を介して後側の壁に接続された後側のベース部分（４７）、
を含み、
前記ベースは４つのコーナー（２１４，２１５，２１６，２１７）を有し、対角ベース折り畳み線（５４，５５，５６，５７）は各コーナーから延出し、対角ベース折り畳み線は前記左ベース、前ベース、右ベース、及び後ベースとを互いに接続する、
請求項８６〜９１のいずれかに記載の折り畳まれた使い捨て容器。
【請求項９３】
前記左側ベースおよび右側ベースは前記前側および後側ベースの内側（６４）に対して接着される重なり部分（４８）を含み、前記重なり部分および前記斜めのベース折り線を含む前記前側および後側ベース（４５、４７）は、前記左側および右側ベース（４４、４６）の外側（６５）に対して折り曲げられ接着される、先行する請求項に記載の折り畳まれた使い捨て容器。
【請求項９４】
前記前壁（２０１）は、
ピー開口部（２０９）、または、ピー開口部（２０９）を形成するために、ピー開口部領域を除去するために、またはピー開口部領域を内側または外側に折り曲げるために、少なくとも部分的に弱められ、破壊されるように構成される周辺部（２０８）を有するピー開口部領域（２８）を含む、
使い捨て小便器を形成する、請求項８６〜９３のいずれかに記載の折り畳まれた使い捨て容器。
【請求項９５】
前記中央前部および中央後部は前記折りたたまれた使い捨て容器の上端において互いに取り付けられておらず、前記拡張された形態において、前記使い捨て容器の上端は前記左右のコーナー（２２１、２２２）を内側に押すことによって前記使用者によって開くことができ、それによって、上部開口（２２０）を形成する、請求項８６〜９４のいずれか１項に記載の折りたたまれた使い捨て容器。
【請求項９６】
単一用途の小便器を形成し、少なくとも１つの側壁（２０２，２０３）が、
ピー開口部（２０９）、または、ピー開口部（２０９）を形成するために、ピー開口部領域を除去するために、またはピー開口部領域を内側または外側に折り曲げるために、少なくとも部分的に弱められ、破壊されるように構成される周辺部（２０８）を有するピー開口部領域（２８）、を含む、請求項８６〜９５のいずれかに記載の折り畳まれた使い捨て容器。
【請求項９７】
ピー開口部（２０９）またはピー開口部領域（２８）の中心が、折り畳まれた容器の高さの４０〜６０パーセントで提供される、請求項８６〜９６のいずれかに記載の折り畳まれた使い捨て容器。
【請求項９８】
前壁の第１のピー開口部またはピー開口領域と、後壁の第２のピー開口部またはピー開口領域とを含み、第２のピー開口部または第２のピー開口領域は、第１のピー開口部またはピー開口領域とは異なるサイズまたは形状を有する、
請求項８６〜９７のいずれかに記載の折り畳まれた使い捨て容器。
【請求項９９】
前部（７２）及び後部（７６）に屋根折り線を介して取り付けられた複数の屋根部分（３３０）から形成される屋根（３１２）を含む、
請求項８６〜９９のいずれかに記載の折り畳まれた使い捨て容器。
【請求項１００】
前壁（２０１）、右壁（２０２）、左壁（２０３）および後壁（２０４）が接着接続を介して互いに接続され、前壁（２０１）、右壁（２０２）、左壁（２０３）および後壁（２０４）の各々が折り線を介してベースに一体的に接続されている、請求項９１〜９３を除く、先行する請求項８６〜９９のいずれかに記載の折り畳まれた使い捨て容器。
【請求項１０１】
前壁（２０１）の内側に取り付けられる内側ライナーバッグ（６００）を含み、内側ライナーバッグは、前壁の開口部（２８）と整列する開口部を含む、請求項８６〜１００のいずれかに記載の折り畳まれた使い捨て容器。
【請求項１０２】
請求項８６〜１０１のいずれかに記載の折り畳まれた使い捨て容器（１００）を製造するためのブランク（１０）であって、
ベース部（１３）、壁部（１１）、および上端部（１２）であって、ベース部は、ベース周囲折り線（３０）によって壁部から境界が定められ、壁部は前壁ゾーン（３１）、後壁ゾーン（３２）、右壁ゾーン（３３）、および左壁ゾーン（３４）を含み、壁ゾーン（３１、３２、３３、３４）の側面（５９、６０、８０、８１、１８１；３２５）は直線である。
【請求項１０３】
前記前壁ゾーンおよび前記後壁ゾーンは、正方形、長方形、または台形の形状を有する、先行する請求項に記載のブランク。
【請求項１０４】
前記右壁ゾーンおよび前記左壁ゾーンは、正方形、長方形、三角形または台形の形状を有する、請求項１０２〜１０３のいずれかに記載のブランク。
【請求項１０５】
前壁ゾーン、右壁ゾーン、左壁ゾーン、および後壁ゾーンは、３つの折り線（８０、８１、８１）を介して互いに一体的に接続される、請求項１０２〜１０４のいずれかに記載のブランク。
【請求項１０６】
前記ベース周囲折り線は左ベース折り線（４０）、前ベース折り線（４１）、右ベース折り線（４２）、および後ベース折り線（４３）を含み、前記ベースセクションは複数のベース部分（４４、４５、４６、４７）を含み、各ベース部分は、それぞれのベース折り線（４０、４１、４２、４３）を介して、前壁ゾーン、右壁ゾーン、左壁ゾーン、および後壁ゾーンのうちの１つに一体的に接続される、請求項１０２〜１０５のいずれかに記載のブランク。
【請求項１０７】
前記ベース周囲折り線（３０）は前記ブランクの左側から前記ブランクの右側まで前記ブランクを横切って延在し、前記ベースセクションは、
左ベース折り線（４０）を介して左壁ゾーンに接続された左ベース部分（４４）、前ベース折り線（４１）を介して前壁ゾーンに接続された前ベース部分（４５）、右ベース折り線（４２）を介して右壁ゾーンに接続された右ベース部分（４６）、後ベース折り線（４３）を介して後壁ゾーンに接続された後ベース部分（４７）を含み、
ブランクは使い捨て容器の４つのコーナーを形成するように構成された４つのコーナー位置（５０、５１、５２、５３）を有し、対角ベース折り線（５４、５５、５６、５７）が各コーナー位置から延在し、対角ベース折り線は、左ベース部分、前ベース部分、右ベース部分、および後ベース部分を相互接続する、
請求項１０２〜１０６に記載のブランク。
【請求項１０８】
前記左ベースおよび右ベースは前記前および後ベースの内側（６４）に対して接着されるように構成されたオーバーラップ部分（４８）を含み、前記オーバーラップ部分（４８）および前記対角ベース折り線（５４、５５、５６、５７）を含む前記前および後ベース（４５、４７）は、前記左および右ベースの外側（６５）に対して折り重ねられて接着されるように構成される、請求項１０７に記載のブランク。
【請求項１０９】
重なり部分（４８）は、細長く、ベース周囲折り線（３０）に対して実質的に直角に延在する、先行する請求項１０２〜１０８に記載のブランク。
【請求項１１０】
前記壁セクションの左縁（５９）または右縁（６０）に沿って延在する側部接続フラップ（５８）を含み、前記側部接続フラップは前記使い捨て容器の円周側壁を形成するために、反対側の側壁領域（６１）に接続されるように構成される、請求項１０２〜１０９のいずれかに記載のブランク。
【請求項１１１】
前壁ゾーン、右壁ゾーン、左壁ゾーン、および後壁ゾーンが、真っ直ぐな上端および真っ直ぐな下端を有する、請求項１０２〜１１０のいずれかに記載のブランク。
【請求項１１２】
前記前壁ゾーンは、
ピー開口部（２０９）、または、ピー開口部（２０９）を形成するために、ピー開口部領域を除去するために、またはピー開口部領域を内側または外側に折り曲げるために、少なくとも部分的に弱められ、破壊されるように構成される周辺部（２０８）を有するピー開口部領域（２８）、を含む、
請求項１０２〜１１のいずれかに記載のブランク。
【請求項１１３】
少なくとも右壁ゾーンまたは左壁ゾーンが、
ピー開口部（２０９）、または、ピー開口部（２０９）を形成するために、ピー開口部領域を除去するために、またはピー開口部領域を内側または外側に折り曲げるために、少なくとも部分的に弱められ、破壊されるように構成される周辺部（２０８）を有するピー開口部領域（２８）を含む、請求項１０２〜１１２のいずれかに記載のブランク。
【請求項１１４】
ピー開口部（２０９）またはピー開口部領域（２８）の中心が、折り畳まれた容器の高さの４０〜６０パーセントで提供される、請求項１０２〜１１３のいずれかに記載のブランク。
【請求項１１５】
前壁ゾーン内の第１のピー開口またはピー開口領域と、後壁ゾーン内の第２のピー開口またはピー開口領域とであって、第２のピー開口または第２のピー開口領域が、第１のピー開口またはピー開口領域とは異なるサイズまたは形状を有する、ピー開口またはピー開口領域、を含む、  以下を含む、請求項１０２〜１１４のいずれかに記載のブランク。
【請求項１１６】
前記ベース（３１）は前記ブランクの中央に位置し、前記ベースは正方形または長方形の形状を有するベース周囲折り線（３０）によって前記壁部から境界が定められ、前記壁部は互いに分離している前壁ゾーン（３１）、後壁ゾーン（３２）、右壁ゾーン（３３）、および左壁ゾーン（３４）を含み、前記前壁ゾーン（３１）、前記後壁ゾーン（３２）、前記右壁ゾーン（３３）、および前記左壁ゾーン（３４）のそれぞれは折り線を介して前記中央に位置するベースに一体的に接続され、前記中央に位置するベースから離れて延在する、請求項１０５〜１０９を除く請求項１０２〜１１のいずれかに記載のブランク。
【請求項１１７】
前記壁ゾーン（３１、３２、３３、３４）の少なくとも２つ、特に左側壁ゾーンおよび右側壁ゾーンが、前記４つの壁ゾーンの間に接着接続を形成するための接着フラップ（５８）を備える、請求項１に記載のブランク。
【請求項１１８】
それぞれのルーフ折り曲げ線（３３１）を介して壁ゾーン（３１、３２、３３、３４）に取り付けられるルーフ部分（３３０）を含み、ルーフ部分は、互いに折り曲げられ、互いに接続されるように構成される、請求項１０２〜１１７のいずれかに記載のブランク。
【請求項１１９】
前記前壁ゾーン（３１）、前記後壁ゾーン（３２）、前記右壁ゾーン（３３）及び前記左壁ゾーン（３４）を接着接続によって周壁に相互接続することを含む、請求項１０２〜１〜１８のいずれかに記載のブランクから請求項８６〜１０１のいずれかに記載の折り畳み使い捨て容器の製造方法。
【請求項１２０】
複数のベース（４４、４５、４６、４７）を互いに折り曲げ、接着剤接続を介してベースを互いに接続することを含む、請求項１に記載の方法。
【請求項１２１】
左ベース部分、前ベース部分、右ベース部分および後ベース部分を互いに折り曲げてベース部分を形成することを含み、右ベース部分および左ベース部分の重なり部分は接着接続によって前ベース部分および後ベース部分の内側に取り付けられ、重なり部分および対角ベース折り線を含む前ベース部分および後ベース部分は右ベース部分および左ベース部分の外側上に折り曲げられ、接着接続によってそこに取り付けられる、請求項１１８または１１９に記載の方法。
【請求項１２２】
前壁ゾーン（３１）、後壁ゾーン（３２）、右壁ゾーン（３３）、および左壁ゾーン（３４）を、それらがベースに接続される折り線上に折り曲げ、特に接着フラップを介して、前壁ゾーン（３１）、後壁ゾーン（３２）、右壁ゾーン（３３）、および左壁ゾーン（３４）の間に接着接続を形成することを含む、請求項１ １７に記載のブランクから、請求項１０１に記載の折り畳まれた使い捨て容器を形成する方法。
【請求項１２３】
ルーフ部分を互いに折り曲げ、ルーフ部分を接着剤を介して互いに接続することを含む、請求項１２２に記載の方法。
【請求項１２４】
請求項８６〜１０１のいずれかに記載の折り畳まれた容器（１００）から請求項６３〜８５のいずれかに記載の使い捨て容器（２００）を形成する方法であって、折り畳まれた使い捨て容器の左縁部（８３）および右縁部（８２）を内側に押し、それによって折り畳まれた容器を使い捨て容器内に拡張することを含む方法。
【請求項１２５】
前記折り畳まれた容器内に内側ライナーバッグ（６００）を提供することと、前記内側ライナーバッグの前壁を前記折り畳まれた容器の前壁に取り付けることとを含み、前記内側ライナーバッグは前記前壁内に開口部を含み、前記開口部は、前記折り畳まれた容器の開口部（２８）と位置合わせされる、請求項５８〜６２または請求項１１９〜１２４のいずれか一項に記載の方法。
【請求項１２６】
前記右壁および左壁は、実質的に単一平面内で湾曲している、請求項１〜２３のいずれかに記載の容器。
【請求項１２７】
前記湾曲した前右縁（２０）および前記湾曲した右縁部（２１２）が右平面を画定し、前記右壁（２０２）が右平面上または前記右平面の外側のいずれかに位置し、前記湾曲した前左縁（２１１）および前記湾曲した左縁部（２１３）が左平面を画定し、前記左壁（２０３）がこの左平面上またはこの左平面の外側のいずれかに位置する、請求項１〜２３および１２６のいずれかに記載の容器。
【発明の詳細な説明】
【技術分野】
【０００１】
本発明は、特に医療環境において体液を保持するためのシート材料から作られ、簡単な動作で拡張することができる使い捨て液体容器に関する。本発明はさらに、折り畳まれた使い捨て容器およびブランクに関する。使い捨ての膨張可能な容器は特に、小便器またはシックバッグとして使用されてもよい。
【背景技術】
【０００２】
シート材料から作られた使い捨て容器は、かなり以前から知られている。使い捨て容器は小便器として使用することができ、その場合、再使用可能な小便器は、実際にはあまりよく洗浄されず、感染源となることが多いため、病院での後天性感染の危険性を著しく低減するという点で、再使用可能な小便器よりも有利である。このタイプの感染は、使い捨ての小便器では起こらない。
【０００３】
使い捨ての折りたたみ可能な容器の一例が、ＧＢ２５２９７１３Ａに開示されている。この文献は、折り畳み可能な容器、特に折り畳み可能な男性型小便器を開示している。この容器の欠点は、その形状が人体にあまり適していないことである。容器は、容器が使用者の脚の間に置かれたときに使用者にとってかなり不便であると感じるかなり角張った形状を有する。さらに、容器は、単純な移動によって拡張（「ポップアップ」）することができない。
【０００４】
使い捨て液体容器の別の例は、ＵＳ２０１６／０２６２５８３Ａ１に開示されている。この文献に開示された容器は、特にカートンから作られ、予め切断されたブランクから形成される。
【０００５】
ＧＢ２４１０９３９（Ｄ１）は、凸状の前壁を有する容器を開示している。しかし、このカートンは小便器ではない。Ｄ１の容器は、頂部でのみ開いている。さらに、Ｄ１は、容器が液密であることを開示していない。また、Ｄ１は、この容器を小便器として使用すること、またはこの容器を液密にすることを指すいかなる指針も含まない。
【０００６】
Ｄ１の図４は、容器が作られるブランクを示す。
【０００７】
容器のベースのコーナーを形成するコーナー位置の少なくとも１つは、ブランクの縁部に沿って配置され、この理由のため、容器が液体で満たされるときに容器の漏れが生じる。Ｄ１の容器はまた、より経済的でない形状を有する。
【０００８】
この容器は、三次元形状が小便器として使用するのにあまり適していないという点で、同様の欠点を有する。この容器は使用者がベッドに横たわっているとき、使用者の脚の間にあまり良く適合しない。さらに、入口開口部の形状は、ベッドに横たわっているときにユーザが有する様々な位置にあまり適していない。これは、特に、使用者が仰臥位にあるときに当てはまる。さらに、容器は、単純な移動によって完全な形態で拡張することができない。さらに、容器が液体を含む場合、容器は典型的な１０〜１５°のマットレス角度で極めて容易に傾き、極めて容易に液体をこぼす。
【０００９】
使い捨て容器は折り畳まれた状態と拡張された使用状態との間で変形可能である必要があるため、ユーザフレンドリで頑丈な形状を提供するという課題は特に困難である。折り畳まれた状態では、貯蔵スペースを節約するために、使い捨て容器はかなり平坦でなければならない。この要件の背景は、病院などの典型的な医療環境ではこれらの使い捨て容器の多くが任意の所与の日に使用されることである。したがって、多くの使い捨て容器は、しばしば患者の近くに保管される必要がある。これらの使い捨て容器の全てが、それらの拡張された使用状態で保管される場合、非常に大きな保管スペースが必要とされる。したがって、一般に、このような使い捨て容器は、折り畳まれ、折り畳まれた形態または入れ子式の形態で保管され得ることが望ましい。
【００１０】
使用時には、使い捨て容器を折り畳んだ状態から拡張した構造的に強い使用状態に変換することがさらに容易でなければならない。この要件は、ユーザフレンドリな形成を提供するという課題をさらに困難にする。
【発明の概要】
【発明が解決しようとする課題】
【００１１】
本発明の目的は特に体液を保持するための使い捨て容器を提供することであり、使い捨て容器は折り畳まれた状態で貯蔵することができ、容易に使用状態に拡張することができ、使い捨て容器は、容器の人間工学的形状を通して使用者に快適性を高める。
【００１２】
さらに、膨張した容器が容易に取り扱うことができ、小便器または体液容器の役割を果たすのに十分に強く、丈夫であることが目的である。このような比較的高い構造強度を、平坦な状態から容易に膨張する容器に与えることが、本発明の特定の目的である。
【００１３】
本発明の目的は折り畳まれた状態で保管することができ、容易に使用状態に拡張することができ、特にベッドに横たわっているとき、より詳細には仰臥位で横たわっているときに、使用者に快適性を高める使い捨て小便器を提供することである。
【００１４】
本発明の目的は、従来技術の使い捨て容器よりも少ない材料で製造することができる体液用使い捨て容器を提供することである。
【００１５】
本発明の目的は、高い製造速度及び低い製造コストで平坦なブランクから製造することができる使い捨て容器を提供することである。
【００１６】
本発明の目的は、高い構造強度を提供する、拡張が容易な使い捨て容器を提供することである。
【００１７】
本発明の目的は油性ワックス系防水処理を必要としない、体液用の使い捨て容器を提供することである。
【００１８】
本発明の目的は、従来技術に適した代替物である使い捨て容器を提供することである。
【課題を解決するための手段】
【００１９】
少なくとも１つの目的を達成するために、本発明は、シート材料から製造された使い捨て容器であって、前記使い捨て容器が立つことができるベース、前壁、右壁、左壁、前記ベースから上方に延びる後壁、上端、を備え、右壁および左壁は、前記ベースから上方に延びる折り線を介して前壁および後壁に接続され、側壁折り線がベースから上方に延び、
中央ベース折り線が前記ベースに沿って延び、使い捨て容器は側壁折り線を展開する、使い捨て容器、を提供する。
【００２０】
使い捨て容器はいくつかの利点を有する。それは医療環境における病原体の伝播を防ぎ、製造が容易で費用効果があり、保管が容易であり、使用が容易であり、拡張状態で構造的に強い。
【００２１】
一実施形態では、前壁および後壁は凸状であり、右壁および左壁は凹状である。その形状により、使用者に改善された快適性を提供する。
【００２２】
一実施形態では、右壁および左壁が実質的に単一平面内で湾曲している。この点に関して、本発明の容器の右壁および左壁は、Ｄ１の容器の右壁および左壁とは全く異なることに留意されたい。Ｄ１の容器の右壁および左壁は、２つの曲率面で湾曲している。
【００２３】
一実施形態では、湾曲した前部右縁および湾曲した右後縁は右平面を画定し、容器の右壁は右平面上または右平面の外側のいずれかに位置し、容器の湾曲した前部左縁および湾曲した左後縁は左平面を画定し、容器の左壁はこの左平面上またはこの左平面の外側のいずれかに位置する。これはより人間工学的な形状をもたらし、Ｄ１の右壁および左壁（これらはこの右平面および左平面に対して内側に位置する）とは全く異なり、使用者の脚部が前壁および後壁の縁部（特に、その上部）に対して押されるので、人間工学的な形状がより少なくなる。
【００２４】
正面図の一実施形態では、使い捨て容器が腰部を有することができ、腰部はベースにおける前部幅Ｗ２よりも小さく、上端における前部幅Ｗ３よりも小さい前部幅Ｗ１を有し、特に、前部幅はベースから腰部セクションに向かって徐々に減少し、腰部セクションから上端に向かって徐々に増加する。
【００２５】
側面図の一実施形態では、使い捨て容器が腰部の高さで最大に達する側部幅Ｗ４を有することができ、腰部の側部幅はベースの側部幅Ｗ５よりも大きく、上端の側部幅Ｗ６よりも大きく、特に、側部幅はベースから腰部まで徐々に増加し、腰部から上端まで徐々に減少する。
【００２６】
一実施形態では、前壁および後壁は上端で合流し、左壁および右壁は上端で合流しない。
【００２７】
一実施形態では、ベースが正方形または長方形の形状を有することができる。ベースは、平坦であってもよく、容器が立つことができる表面を形成してもよい。
【００２８】
一実施形態では使い捨て容器がベースの前部右隅から上方に延びる湾曲した前部右縁と、ベースの前部左隅から上方に延びる湾曲した前部左縁と、ベースの後部右隅から上方に延びる湾曲した右後縁と、ベースの後部左隅から上方に延びる湾曲した左後縁とを含むことができ、湾曲した右前縁および湾曲した右後縁は上端で合流し、湾曲した左前縁および湾曲した左後縁は上端で合流する。
【００２９】
一実施形態では使い捨て容器が使い捨て小便器を形成することができ、前壁または少なくとも１つの側壁は以下を含む：
ピー開口部、または脆く、少なくとも部分的に弱く、ピー開口部領域を除去するために破壊されるように、またはピー開口部を形成するためにピー開口部領域を内側または外側に折り畳むように構成される周囲を有するピー開口部領域。
【００３０】
側面が圧搾され、容器が折り畳まれた状態から膨張した使用中の形状に飛び出すときに、容器内への空気を可能にする小さな指穴開口部があってもよい。
【００３１】
一実施形態では、ピー開口又はピー開口領域が腰部の高さに設けることができる。
【００３２】
一実施形態では、使い捨て容器が以下を含むことができる：
前壁の第１のピー開口部またはピー開口領域と、後壁の第２のピー開口部またはピー開口領域とであり、第２のピー開口部または第２のピー開口領域は、第１のピー開口部またはピー開口領域とは異なるサイズまたは形状を有する。
【００３３】
一実施形態では、シート材料が厚紙、多層「カップストック」、またはバガスシートカートンであってもよい。
【００３４】
ベースは、四面、特に正方形、長方形又は台形であってもよい。
【００３５】
一実施形態では、上端は開放可能であり、使い捨て容器を体液容器、医療容器、またはシックバッグとして使用することを可能にする。
【００３６】
一実施形態ではベースが互いに折り重ねられ、接着接続を介して互いに接続された複数のベースによって形成され、各ベースはそれぞれのベース折り線を介して、ベースから上方に延びる壁のうちの１つに一体的に接続される。
【００３７】
一実施形態では、ベースが以下を含むことができる：
左ベース折り線を介して左壁に接続された左ベース部、前ベース折り線を介して前壁に接続された前ベース部、右ベース折り線を介して右壁に接続された右ベース部、後ベース折り線を介して後壁に接続された後ベース部であって、各コーナーから対角ベース折り線が延在する４つのコーナーを有し、対角ベース折り線は左ベース部、前ベース部、右ベース部および後ベース部を相互接続し、左ベース部、前ベース部、右ベース部および後ベース部は互いに折り重ねられる。
【００３８】
一実施形態では左ベースおよび右ベースが前部および後部ベースの内側に接着された重なり部分を含むことができ、重なり部分および対角ベース折り線を含む前部および後部ベースは左および右ベースの外側に折り重ねられて接着される。
【００３９】
折り畳まれた使い捨て容器
【００４０】
本発明はさらに、前述の請求項のいずれかに記載の使い捨て容器に拡張されるように構成された折り畳まれた使い捨て容器であって、
前記折り畳まれた使い捨て容器は、シート材料から製造され、
中央ベース折り曲げ線に沿ってそれ自体の上に折り曲げられたベースと、
前部であって、形成される使い捨て容器の前壁を画定する中央前部と、形成される使い捨て容器の左壁の前部を画定する左前部と、形成される使い捨て容器の右壁の前部を画定する右前部と、を含む前部と、
後部であって、
形成される使い捨て容器の後壁を画定する中央後部と、形成される使い捨て容器の左壁の後部を画定する左後部と、形成される使い捨て容器の右壁の後部を画定する右後部と、を含む後部と、
上端と、を備え、
中央前部は折り線を介して左前部及び右前部に接続され、中央後部は折り線を介して左前部及び右後部に接続され、
側壁折り線は左右に延び、折りたたまれた使い捨て容器の右端及び左端を形成し、
中央ベース折り線はベースセクションに沿って延び、
前記折り畳まれた使い捨て容器は、前記折りたたまれた使い捨て容器の右端及び左端を押すことにより、折りたたまれた状態から拡大状態に変形するように構成され、側壁折り線は左右に展開され、ベースは折りたたまれた使い捨て容器の拡大状態となる、折り畳まれた使い捨て容器、
に関する。
【００４１】
折り畳まれた使い捨て容器は本発明による（拡張された）使い捨て容器に拡張することができ、使い捨て容器に関連する利点を提供する。
【００４２】
一実施形態では、左前部が左前部折り線によって中央前部から境界を定められ、右前部は右前部折り線によって中央前部から境界を定められ、左および右前部折り線は中央前部において湾曲し、廃棄セクションを画定し、廃棄セクションは中央前部の下部および中央前部の上部において幅Ｗ４、Ｗ５よりも小さい幅Ｗ３を有し、左後部は左後部折り線によって中央後部から境界を定められ、左後部は右後部折り線が湾曲し、中央後部において廃棄セクションを画定し、廃棄セクションは中央後部の下部および中央後部の上部よりも小さい幅を有し、左前部および左後部は共に単一の左壁に変形可能である。 折りたたまれた使い捨て容器の左端を内側に押すことによって使い捨て容器であって、折りたたまれた使い捨て容器の右端を内側に押すことによって、右前部および右後部が一緒に使い捨て容器の右壁に変形可能であり、それによって折りたたまれた使い捨て容器を拡張状態に拡張する。
【００４３】
一実施形態では、正面図において、
右縁部が右上縁部および右下縁部を含み、
左縁部が左上縁部および左下縁部を含み、ベースがそれ自体の上に折り畳まれていることを特徴し、
右下縁は前下右縁部分および後右下縁部分を含み、
左下縁は前左下縁部分および後左下縁部分を含み、
右上縁、右下縁部分および右下縁部分は内側に押すことができる折り曲げ線を形成し、それによって、折り畳み式容器の拡張中に右壁を形成し、
左上縁、左下縁部分および左下縁部分は内側に押すことができる折り曲げ線を形成し、それによって、折り畳み式容器の拡張中に左壁を形成する。
【００４４】
一実施形態では、右上縁および右下縁が互いに対して１２０〜１６０度の角度ａで延在し、右側コーナーを画定することができ、左上縁および左下縁は互いに対して１２０〜１６０度の角度ａで延在し、左側コーナーを画定する。
【００４５】
この形状はＤ１の図５Ｅに示すように、Ｄ１の折り畳まれた容器の形状とは全く異なる。内側に押される側壁の底部は、本発明とは異なる形状を有する。図５Ｅの側壁はベースの底縁部と平行であり、ベースの底縁部から外向きに延びる底縁部を有する。本発明では、これが異なるのは折り畳まれた容器では側壁の下縁８５がベースのコーナーから離れるように外向きかつ上向きに延びるからである。例えば、本出願の図１２を参照されたい。一実施形態では、正面図では右下縁部および左下縁部が折り畳まれた使い捨て容器の下ベース縁部に対して１２０〜１６０度の角度ｐで延びることができる。
【００４６】
一実施形態では、ベースが
左ベース折り線を介して左壁に接続された左ベース、
前側ベース折り曲げ線を介して前側壁に接続された前側ベース、
右ベース折り線を介して右壁に接続された右ベース、
後側ベース折り線を介して後側ベースに接続された後側ベース、を含み、
前記ベースは４つのコーナーを有し、対角線が各コーナーから延在し、前記対角線は、前記左側ベース、前記前側ベース、前記右側ベース及び前記後側ベースを相互接続する。
【００４７】
一実施形態では左ベースおよび右ベースが前部および後部ベースの内側に対して接着される重なり部分を含むことができ、重なり部分および対角ベース折り線を含む前部および後部ベースは左および右ベースの外側に対して折り重ねられ接着される。
【００４８】
ブランク
【００４９】
本発明はさらに、本発明による折り畳まれた使い捨て容器を製造するためのブランクに関し、ブランクは、
ベースセクション、壁セクション、および上端セクションを備え、
前記ベースセクションは、ベース折りたたみ線によって壁セクションとの境界が定められ、
壁セクションは前壁ゾーン、後壁ゾーン、右壁ゾーン、および左壁ゾーンを含み、
前壁ゾーンおよび後壁ゾーンは右壁ゾーンおよび左壁ゾーンにわたって延在する。
【００５０】
ブランクを用いて、本発明による使い捨て容器を製造することができる。
【００５１】
一実施形態ではベース周囲折り線がブランクの左側からブランクの右側までブランクを横切って延びることができ、ベース周囲折り線は左ベース折り線、前ベース折り線、右ベース折り線、および後ベース折り線を含み、ベースセクションは、
左ベース折り線を介して左壁ゾーンに接続された左ベース部分、
前ベース折り線を介して前壁ゾーンに接続された前ベース部分、
右ベース折り線を介して右壁ゾーンに接続された右ベース部分、
後ベース折り線を介して後壁ゾーンに接続された後ベース部分、
を含み、
ブランクは使い捨て容器の４つのコーナーを形成するように構成された４つのコーナー位置（５０、５１、５２、５３）を有し、対角ベース折り線（５４、５５、５６、５７）が各コーナー位置から延在し、対角ベース折り線は、左ベース部分、前ベース部分、右ベース部分、および後ベース部分を相互接続する。
【００５２】
一実施形態では左ベース部分および右ベース部分が前および後ベース部分の内側に対して接着されるように構成された重なり部分を含むことができ、重なり部分および斜めの折り線を含む前および後ベース部分は左および右ベース部分の外側上に折り畳まれて接着されるように構成される。
【００５３】
一実施形態ではブランクが壁セクションの湾曲した左縁または右縁に沿って延びる側部接続フラップを含むことができ、側部接続フラップは使い捨て容器の円周方向側壁を形成するために反対側の側壁領域に接続されるように構成される。
【００５４】
一実施形態では、前壁ゾーンおよび後壁ゾーンが真っ直ぐな上端および真っ直ぐな下端を有することができる。
【００５５】
一実施形態では、重なり部分が細長く、ベース周囲折り線に対して実質的に直角に延在する。
【００５６】
本発明はさらに、本発明による折り畳まれた使い捨て容器を製造する方法に関する:
【００５７】
前壁ゾーン、後壁ゾーン、右壁ゾーン、および左壁ゾーンを接着接続によって円周壁に相互接続し、左ベース部分、前ベース部分、右ベース部分、および後ベース部分を互いに折り曲げてベースセクションを形成し、右および左ベース部分の重なり部分は接着接続によって前および後ベース部分の内側に取り付けられ、重なり部分および斜めの折り線を含む前および後ベース部分は右および左ベース部分の外側上に折り曲げられ、接着接続によってそこに取り付けられる。
【００５８】
この方法は、折り畳まれた使い捨て容器および拡張された使い捨て容器と同じ利点を提供する。
【００５９】
本発明はさらに、本発明によるブランクから本発明による折り畳まれた使い捨て容器を製造する方法に関し、この方法は、接着接続によって前壁ゾーン、後壁ゾーン、右壁ゾーン、および左壁ゾーンを円周壁に相互接続することを含む。
【００６０】
この方法は、複数のベース部分を互いに重ねて折り曲げ、ベース部分を接着接続によって互いに接続するステップを含むことができる。
【００６１】
この方法は左ベース部分、前ベース部分、右ベース部分、および後ベース部分を互いに折り曲げてベース部分を形成するステップを含むことができ、右ベース部分および左ベース部分の重なり部分は接着接続によって前ベース部分および後ベース部分の内側に取り付けられ、重なり部分および斜めの折り線を含む前ベース部分および後ベース部分は右ベース部分および左ベース部分の外側上に折り曲げられ、接着接続によってそこに取り付けられる。
【００６２】
この方法は、前壁ゾーン、後壁ゾーン、右壁ゾーン、および左壁ゾーンを、それらがベースに接続される折り曲げ線上に折り曲げ、特に接着フラップを介して、前壁ゾーン、後壁ゾーン、右壁ゾーン、および左壁ゾーンの間に接着接続を形成することを含むことができる。
【００６３】
この方法は、折り畳まれた使い捨て容器の左縁および右縁を内側に押す縁部と、凹状の右壁および左壁ならびに凸状の前壁および後壁を形成する縁部とを含むことができる。
【００６４】
ユニークに、ユーザからの非常に簡単な動作で、使い捨て容器は、折り畳まれた使い捨て容器から形成することができる。
【００６５】
第２の発明
【００６６】
第２の発明は、真っ直ぐな壁を有する使い捨て容器に関する。使い捨て容器は第１の発明と幾つかの類似点を有し、またシート材料から作られる。
【００６７】
使い捨て容器はまた、医療環境において体液を保持するように構成され、また、単純な移動によって折り畳まれた状態から拡張され得る。使い捨ての膨張可能な容器はまた、小便器またはシックバッグとして使用されてもよい。
【００６８】
真っ直ぐな壁は使い捨て容器の形状が人間工学的でないという欠点を有するが、使い捨て容器の製造がより容易であるという利点を有する。
【００６９】
ブランクの折り線は全て直線であるので、自動化された製造プロセスはより容易である。
【００７０】
さらに、この使い捨て容器が保持することができる体液の体積は、ベースの長さを増加させることによって比較的容易に増加させることができる。
【００７１】
２つの凸壁および２つの凹壁を有する容器とは異なり、ベースの長さは、ベースの幅とは無関係に増大させることができる。
【００７２】
この目的を達成するために、第２の発明は、シート材料から製造された使い捨て容器を提供し、使い捨て容器を立てることができるベース、ベースから上方に延びる前壁、右壁、左壁及び後壁を含み、前壁、右壁、左壁及び後壁が直線である。
【００７３】
さらに、本発明による使い捨て容器に拡張されるように構成された折り畳まれた使い捨て容器が提供され、折り畳まれた使い捨て容器は、シート材料から製造され、
中央ベース折り曲げ線に沿ってそれ自体の上に折り曲げられたベース、前部とを含み、
形成される使い捨て容器の前壁を画定する中央前部と、形成される使い捨て容器の左壁の前部を画定する左前部と、形成される使い捨て容器の右壁の前部を画定する右前部と、を含む後部とを含み、
形成されるべき使い捨て容器の後壁を画定する中央後部、形成されるべき使い捨て容器の左壁の後部を画定する左後部、形成されるべき使い捨て容器の右壁の後部を画定する右後部、前部と後部が出会う上端、左前部が左前部折り線によって中央前部から境界を定められ、右前部が右前部折り線によって中央前部から境界を定められ、左前部および右前部折り線は直線であり、左後部は左後部折り線によって中央後部から境界を定められ、右後部は右によって中央後部から境界を定められ、左右の後部折り線が直線である後部折り線である。
【００７４】
第２の発明はさらに、本発明による折り畳まれた使い捨て容器を製造するためのブランクに関し、
ベース部、壁部、および上端部であって、ベース部は、ベース周囲折り線によって壁部から境界が定められ、壁部は前壁ゾーン、後壁ゾーン、右壁ゾーン、および左壁ゾーンを含み、壁ゾーンの側面は直線である。
【００７５】
使い捨て容器、折り畳まれた使い捨て容器、およびブランクのさらなる特徴は、本明細書および従属請求項に開示されている。
【００７６】
本発明の上記および他の特徴および利点は添付の図面を参照した例示的な実施形態の以下の詳細な説明から、より完全に理解されるのであろう。同様の参照番号は、同様の部分を指す。以下の詳細な説明および図面は例示的な実施形態とみなされるべきであり、本発明の範囲を限定するものではない。
【図面の簡単な説明】
【００７７】
【図１】図１は、好ましい実施形態によるブランクの平面図を示す。
【図２】図２は、接着剤が塗布されたこのブランクの平面図を示す
【図３】図３は、折り畳まれた容器に組み立てる前のブランクの平面図を示す。
【図４】図４は、第１の実施形態による、折り畳まれた容器へのブランクの組み立てステップを示す。
【図５】図５は、第１の実施形態による、折り畳まれた容器へのブランクの組み立てステップを示す。
【図６】図６は、第１の実施形態による、折り畳まれた容器へのブランクの組み立てステップを示す。
【図７】図７は、第１の実施形態による、折り畳まれた容器へのブランクの組み立てステップを示す。
【図８】図８は、第２の実施形態による、折り畳まれた容器へのブランクの組み立てステップを示す。
【図９】図９は、第２の実施形態による、折り畳まれた容器へのブランクの組み立てステップを示す。
【図１０】図１０は、第２の実施形態による、折り畳まれた容器へのブランクの組み立てステップを示す。
【図１１】図１１は、第２の実施形態による、折り畳まれた容器へのブランクの組み立てステップを示す。
【図１２】図１２は、好ましい実施形態による折り畳まれた容器の正面図を示す。
【図１３Ａ】図１３Ａは、折り畳まれた容器を好ましい実施形態の容器に容易に拡張するステップの斜視図を示す。
【図１３Ｂ】図３Ｂは、折り畳まれた容器を好ましい実施形態の容器に容易に拡張するステップの斜視図を示す。
【図１４】図１４は、好ましい実施形態の容器の側壁から取り外し可能な舌部を取り外すか、または折り畳むステップの斜視図を示す。
【図１５】図１５は、好ましい実施形態の容器の側壁から取り外し可能な舌部を取り外すか、または折り畳むステップの斜視図を示す。
【図１６】図１６は、好ましい実施形態の容器を上方から見た図を示す。
【図１７】図１７は、好ましい実施形態の容器の正面からの図を示す。
【図１８】図１８は、好ましい実施形態の容器の側面から見た断面図を示す。
【図１９Ａ】図１９Ａは、女性患者によって使用されるように構成された好ましい実施形態の容器の斜視図を示す。
【図１９Ｂ】図１９Ｂは、女性患者によって使用されるように構成された好ましい実施形態の容器の斜視図を示す。
【図１９Ｃ】図１９Ｃは、女性患者によって使用されるように構成された好ましい実施形態の容器の斜視図を示す。
【図２０Ａ】図２０Ａは、男性患者によって使用されるように構成された好ましい実施形態の容器の斜視図を示す。
【図２０Ｂ】図２０Ｂは、男性患者によって使用されるように構成された好ましい実施形態の容器の斜視図を示す。
【図２０Ｃ】図２０Ｃは、男性患者によって使用されるように構成された好ましい実施形態の容器の斜視図を示す。
【図２１】図２１は、本発明の別の実施形態のブランクを示す。
【図２２】図２２は、本発明の別の実施形態の上面図を示す。
【図２３】図２３は、本発明の別の実施形態の正面図を示す。
【図２４】図２４は、本発明の別の実施形態の側面図を示す。
【図２５】図２５は、本発明のさらに別の実施形態のブランクを示す。
【図２６】図２６は、本発明のさらに別の実施形態の上面図を示す。
【図２７】図２７は、本発明のさらに別の実施形態の側面図を示す。
【図２８】図２８は、本発明のさらに別の実施形態の正面図を示す。
【図２９】図２９は、開いた状態の本実施形態の上面図を示す。
【図３０】図３０は、開いた状態の本実施形態の側面図を示す。
【図３１】図３１は、開いた状態の本実施形態の正面図を示す。
【図３２Ａ】図３２Ａは、男性または女性による好ましい実施形態の使い捨て拡張可能容器の使用段階を示す。
【図３２Ｂ】図３２Ｂは、男性または女性による好ましい実施形態の使い捨て拡張可能容器の使用段階を示す。
【図３２Ｃ】図３２Ｃは、男性または女性による好ましい実施形態の使い捨て拡張可能容器の使用段階を示す。
【図３２Ｄ】図３２Ｄは、男性または女性による好ましい実施形態の使い捨て拡張可能容器の使用段階を示す。
【図３２Ｅ】図３２Ｅは、男性または女性による好ましい実施形態の使い捨て拡張可能容器の使用段階を示す。
【図３３】図３３は、使用中の好ましい実施形態の使い捨て拡張可能容器の拡大図を示す。
【図３４】図３４は、女性型による好ましい実施形態の使い捨て拡張可能容器の使用の側断面図を示す。
【図３５】図３５は、好ましい実施形態の使い捨て容器の詳細を側面図で示す。
【図３６】図３６は、男性による好ましい実施形態の使い捨て容器の使用の側断面図を示す。
【図３７】図３７は、本発明の別の実施形態によるブランクの上面図を示す。
【図３８】図３８は、図３７によるブランクの折り畳みの等角図を示す。
【図３９】図３９は、図３７によるブランクの折り畳みの等角図を示す。
【図４０】図４０は、図３７によるブランクの折り畳みの等角図を示す。
【図４１Ａ】図４１Ａは、第２の発明による折り畳まれた使い捨て容器の実施形態のブランクを示す。
【図４２Ａ】図４２Ａは、第２の発明による折り畳まれた使い捨て容器の実施形態のブランクを示す。
【図４２Ｂ】図４２Ｂは、第２の発明による折り畳まれた使い捨て容器の実施形態のブランクを示す。
【図４１Ｂ】図４１Ｂは、図４１Ａのブランクの使い捨て容器の側面図、正面図および等角図を示す。
【図４１Ｃ】図４１Ｃは、図４１Ａのブランクの使い捨て容器の側面図、正面図および等角図を示す。
【図４１Ｄ】図４１Ｄは、図４１Ａのブランクの使い捨て容器の側面図、正面図および等角図を示す。
【図４２Ａ１】図４２Ａ１は、図４２Ａのブランクの使い捨て容器の側面図、正面図および等角図を示す。
【図４２Ａ２】図４２Ａ２は、図４２Ａのブランクの使い捨て容器の側面図、正面図および等角図を示す。
【図４２Ａ３】図４２Ａ３は、図４２Ａのブランクの使い捨て容器の側面図、正面図および等角図を示す。
【図４２Ｂ１】図４２Ｂ１は、図４２Ｂのブランクの使い捨て容器の側面図、正面図および等角図を示す。
【図４２Ｂ２】図４２Ｂ２は、図４２Ｂのブランクの使い捨て容器の側面図、正面図および等角図を示す。
【図４２Ｂ３】図４２Ｂ３は、図４２Ｂのブランクの使い捨て容器の側面図、正面図および等角図を示す。
【図４３】図４３は、第２の発明による折り畳まれた使い捨て容器の実施形態の正面図を示す。
【図４４】図４４は、第２の発明による折り畳まれた使い捨て容器の実施形態の正面図を示す。
【図４５】図４５は、第２の発明による折り畳まれた使い捨て容器の実施形態の正面図を示す。
【図４６】図４６は、図４３、４４、４５の実施形態の側面図を示す。
【図４７】図４７は、図４３、４４、４５の実施形態の拡張容器の側面図を示す。
【図４８】図４８は、第２の発明による折り畳まれた使い捨て容器のさらなる実施形態の正面図を示す。
【図４９】図４９は、第２の発明による折り畳まれた使い捨て容器のさらなる実施形態の正面図を示す。
【図５０】図５０は、第２の発明による折り畳まれた使い捨て容器のさらなる実施形態の正面図を示す。
【図５１】図５１は、図４８、４９、５０の実施形態の側面図を示す。
【図５２】図５２は、図４８、４９、５０の実施形態の拡張容器の側面図を示す。
【図５３】図５３は、第２の発明のさらなる実施形態のブランクを示す。
【図５４】図５４は、第２の発明のさらなる実施形態のブランクを示す。
【図５５】図５５は、第２の発明のさらなる実施形態のブランクを示す。
【図５３Ａ】図５３Ａは、第２の発明のさらなる実施形態の容器を示す。
【図５４Ａ】図５４Ａは、第２の発明のさらなる実施形態の容器を示す。
【図５５Ａ】図５５Ａは、第２の発明のさらなる実施形態の容器を示す。
【図５６】図５６は、第２の発明の別の実施形態のブランクを示す
【図５７】図５７は、図５７のブランクから折り畳まれた容器を形成し、折り畳まれた容器から拡張された容器を形成するステップを示す。
【図５８】図５８は、図５７のブランクから折り畳まれた容器を形成し、折り畳まれた容器から拡張された容器を形成するステップを示す。
【図５９】図５９は、図５７のブランクから折り畳まれた容器を形成し、折り畳まれた容器から拡張された容器を形成するステップを示す。
【図６０】図６０は、図５７のブランクから折り畳まれた容器を形成し、折り畳まれた容器から拡張された容器を形成するステップを示す。
【図６１】図６１は、本発明によるブランクの別の実施形態を示す。
【図６２】図６２は、本発明によるブランクのさらなる実施形態を示す。
【図６３】図６３は、本発明によるブランクのさらに別の実施形態を示す。
【図６４】図６４は、本発明によるブランクのさらに別の実施形態を示す。
【図６５】図６５は、本発明によるブランクの別の実施形態を示す。
【図６６】図６６は、本発明によるブランクの別の実施形態を示す。
【図６７】図６７は、本発明によるブランクの別の実施形態を示す。
【図６８】図６８は、本発明によるブランクのさらに別の実施形態を示す。
【図６９】図６９は、本発明によるブランクの別の実施形態を示す。
【図７０】図７０は、本発明によるライナーバッグの実施形態を示す。
【図７１】図７１は、容器とライナーバッグとの組み合わせの等角図を示す。
【図７２】図７２は、容器とライナーバッグとのアセンブリの切欠き部分を有する等角図を示す。
【発明の実施するための形態】
【００７８】
図１を参照すると、本発明による折り畳まれた使い捨て容器を製造するための本発明によるブランク１０が示されている。ブランクは、シート材料、特に厚紙、多層「カップストック」、またはバガスシートから作製される。ブランクは外縁１９９を含む。
【００７９】
ブランクは、壁部分１１と、上端部分１２と、ベース部分１３とを備えている。ベース１３は、ベース周囲折り線３０によって壁部１１から区切られている。壁セクション１１は、前壁ゾーン３１、後壁ゾーン３２、右壁ゾーン３３、および左壁ゾーン３４を含む。前壁ゾーン３１、右壁ゾーン３３、左壁ゾーン３４および後壁ゾーン３２は、３つの折り線８０、８１、１８１を介して互いに一体的に接続されている。折り線８０は、左前折り線８０とも呼ばれる。折り線８１は、右前折り線８１とも呼ばれる。側縁５９は、第４の折り線１８２を形成する。
【００８０】
前壁ゾーンは、ピー開口領域２８を含む。側面が圧搾され、容器が折り畳まれた状態から膨張した使用中の形状に飛び出すときに、容器内に空気を入れることができる小さな指穴開口９５を設けることができる。指穴開口９５はまた、ピア開口領域２８を容易に引き裂いて開けることを可能にする。
【００８１】
前壁ゾーン３１および後壁ゾーン３２は、前壁ゾーンおよび後壁ゾーンの底部における幅Ｗ２よりも小さく、前壁ゾーンおよび後壁ゾーンの頂部における幅Ｗ３よりも小さい幅Ｗ１を有する腰部セクション３５を有する。右壁ゾーン３３および左壁ゾーン３４は、右壁ゾーンおよび左壁ゾーンの底部における幅Ｗ５よりも大きく、右壁ゾーンおよび左壁ゾーンの頂部における幅Ｗ６よりも大きい幅Ｗ４を有する腹部セクション３６を有する。右壁ゾーンおよび左壁ゾーンの頂部における幅Ｗ６は、ゼロであってもよい。
【００８２】
ベース周囲折り線３０は、ブランクの左側からブランクの右側までブランクを横切って延びる。ベース周囲折り線３０は、左ベース折り線４０、前ベース折り線４１、右ベース折り線４２、および後ベース折り線４３を含む。これらは、互いに対して５〜１５度の角度で延在することができ、湾曲したベース周囲折り線３０をもたらす。側壁折り線１４、１５は右壁ゾーン３３及び左壁ゾーン３４を越えてベース３から上端部１２まで延び、これらを２つの部分に分割する。
【００８３】
右壁部３３及び左壁部３４の下部には、ダイヤモンド形状の折り曲げ部７、８が設けられている。ダイヤモンド形状の部分は折り線３００、３０１によって規定され、折り線３００は、コーナー位置５０、５１、５２、５３から壁部分１１を越えて側壁折り線１４、１５に延びる。折り線３０１は、コーナー位置５０、５１、５２、５３からベース１３を越えて中央ベース折り線６６まで延びている。折り線３００、３０１は、ひし形部分７、８を共に画定する。
【００８４】
ブランク１０は、ブランクの周囲の一部を形成するベース縁部３０２を有する。
【００８５】
ダイヤモンド形状の折り曲げ部分７、８は、ベース周囲折り曲げ線３０、より詳細には右ベース折り曲げ線４２及び左前部ベース折り曲げ線４１にまたがる。
【００８６】
ベース１３は、左ベース折り線４０を介して左壁ゾーン３４に接続された左ベース４４と、前ベース折り線４１を介して前壁ゾーン３１に接続された前ベース４５と、右ベース折り線４２を介して右壁ゾーン３３に接続された右ベース４６と、後ベース折り線４３を介して後壁ゾーン３２に接続された後ベース４７とを含む。
【００８７】
中央ベース折り曲げ線６６は、前部ベース及び後部ベースの各々の上に延在する。
【００８８】
ブランク１０は、使い捨て容器の４つのコーナーを形成するように構成された４つのコーナー位置５０、５１、５２、５３を有する。斜めのベース折り線５４、５５、５６、５７が各コーナー位置から延びている。斜めのベース折り線５４、５５、５６、５７は、左ベース４４、前ベース４５、右ベース４６及び後ベース４７を相互接続する。
【００８９】
コーナー５０、５１、５２、５３は、ブランク１９９の外縁から距離Ｄ３だけ内側に配置されている。距離Ｄ３は、対角ベース折り線５４、５５、５６、５７の長さによって規定される。これは、ベースが折り畳まれたとき、コーナーにおける開口部が回避されるので、液密性をもたらす。
【００９０】
左ベース４４および右ベース４６は前および後ベース４５、４７の内側に対して接着されるように構成された重なり部分４８を含み、重なり部分４８を含む前および後ベース４５、４７は、左および右ベースの外側に対して折り畳まれ接着されるように構成される斜めのベース折り線５４、５５、５６、５７を含む。この構成は、隅部が閉じられているので、液密端部の使い捨て容器を可能にする。
【００９１】
オーバーラップ部分４８は、細長く、ベース周囲折り線３０に対して実質的に直角に延びている。
【００９２】
ブランクは、壁部分１１の湾曲した左縁部５９又は右縁部６０に沿って延びる接着フラップ５８を含む。側部接続フラップは使い捨て容器の周方向側壁を形成するために、反対側の側壁領域６１に接続されるように構成される。
【００９３】
前壁ゾーン３１および後壁ゾーン３２は、真っ直ぐな上端６２および真っ直ぐな下端６３を有する。左壁ゾーンおよび右壁ゾーンは、真っ直ぐな下端および尖った上端を有する。
【００９４】
ブランク１０は、開口２９を有する上部フラップ２６、２７を含む。
【００９５】
図２、図３及び図４を参照すると、ブランク１０から折り畳まれた使い捨て容器を形成する方法は、接着剤を塗布して接着剤接続部を形成するステップと、ブランクを折り線に沿って折り畳むステップとを含む。図２は、ブランクの内側を示す。
【００９６】
接着剤はまた、図２にハッチングで示されているように、上部フラップ２６、２７上に、ベース部分の部分に沿って塗布される。
【００９７】
図４を参照すると、周壁は、接着フラップ５８と反対側の側壁領域６１との間の接着接続によって、前壁ゾーン３１、後壁ゾーン３２、右壁ゾーン３２、および左壁ゾーン３４を相互接続することによって形成される。周壁は、テーパ付きスリーブを形成する。
【００９８】
図５、図６及び図７を参照すると、左ベース４４及び右ベース４６は、内側に折り畳まれている。左右のベース部分のオーバーラップ部分４８は、接着接続によって前部ベース部分４５および後部ベース部分４７の内側６４に取り付けられる。
【００９９】
支持体６８はベース１３の形成を支持するためにまだ開いているときに、上端を通って挿入されてもよい。
【０１００】
続いて、重なり部分４８及び対角線状のベース折り線５４、５５、５６、５７を含む前部及び後部ベース４５、４７が、左右のベース４４、４６の外側６５上に折り曲げられ、接着接続によってそこに取り付けられる。
【０１０１】
左ベース４４、前ベース４５、右ベース４６及び後ベース４７は、共にベースを形成する。
【０１０２】
次に、図６を参照すると、ベース部分１３は、中央ベース折り曲げ線６６上でそれ自体の上に折り曲げられる。その結果、図７に示すように、折り畳まれた使い捨て容器１００が得られ、折り畳まれた使い捨て容器１００は、上部フラップ１０２を有する。
【０１０３】
図８〜図１１を参照すると、折り畳まれた使い捨て容器１００をブランクから製造する代替的な方法では、円周壁およびベースが１回の操作で形成されてもよい。接着剤は同じ領域に塗布されるが、左ベース４４、前ベース４５、右ベース４６及び後ベース４７は周壁と同時に折り畳まれて取り付けられる。
【０１０４】
折り畳まれた使い捨て容器
【０１０５】
図７、１１および１２を参照すると、折り畳まれた使い捨て容器１００は、使い捨て容器に拡張されるように構成される。折り畳まれた使い捨て容器１００は、中央ベース折り線６６に沿ってそれ自体の上に折り畳まれたベース１３を含む。ベース部分は、前方ベース部分７０と後方ベース部分７１とを含む。
【０１０６】
折り畳まれた使い捨て容器１００は、以下を含む前部７２を備える:
成形される使い捨て容器の前壁を画定する中央前部７３と、
成形される使い捨て容器の左壁の前部を画定する左前部７４と、
成形される使い捨て容器の右壁の前部を画定する右前部７５と、
含む前部７２を備える。
【０１０７】
折り畳まれる使い捨て容器１００の後部７６が前部７２と同様に形成され、成形される使い捨て容器の後壁を画定する中央後部と、成形される使い捨て容器の左壁の後部を画定する左後部と、成形される使い捨て容器の右壁の後部を画定する右後部とを備えることは、当業者には明らかである。
【０１０８】
この段落における左右は、折り畳まれた使い捨て容器１００が正面図で見られるときの左右として定義される。
【０１０９】
折り畳まれた使い捨て容器１００は、前部と後部とが出会う上端６９を備える。上端は、小便器の場合には互いに取り付けられるフラップ２６、２７によって形成される。
【０１１０】
左前部７４は、中央前部７３から左前折り線８０によって区切られている。右前部７５は、右前折り線８１によって中央前部７３から区切られている。左右の前部折り曲げ線８０、８１は湾曲しており、中央前部７３に廃棄部分３５を画定し、廃棄部分は中央前部７３の下部および中央前部の上部よりも小さい幅を有する。
【０１１１】
右前部および右後部はブランクの右壁ゾーン３３から形成され、この右壁ゾーン３３はその側壁折り線１５の周りに折り曲げられる。左前部および左後部はブランクの左壁ゾーン３４から形成され、左壁ゾーンはその側壁折り線１４の周りに折り曲げられる。
【０１１２】
ピー開口部またはピー開口部領域を除いて、折り畳まれた使い捨て容器は後方から見たときに、前方から見たときと同じであってもよい。このため、後側は別個に示されていない。したがって、左後部は左後部折り線によって中央後部から境界が定められ、右後部は右後部折り線によって中央後部から境界が定められる。左右の後部折り曲げ線は湾曲しており、中央後部に廃棄セクションを画定し、廃棄セクションは中央後部の下部および中央後部の上部よりも小さい幅を有する。
【０１１３】
折り畳まれた使い捨て容器１００は、右縁８２及び左縁８３を含む。正面図では、右縁８２は右上縁８４と右下縁８５を含み、左縁８３は左上縁８６と左下縁８７を含む。折り畳まれた使い捨て容器１００はまた、下側ベース縁部８９および湾曲した上側縁部９０を有する。
【０１１４】
ベース部分１３がそれ自体の上に折り畳まれるという事実により、右下縁８５は前下右縁部８５Ａおよび後下右縁部８５Ｂを含み、左下縁８７は、前下左縁部８７Ａおよび後下左縁部８７Ｂを含む。
【０１１５】
右上縁８４、右下前縁部分８５Ａおよび右下後縁部分８５Ｂは内側に押すことができる折り曲げ線を形成し、それによって、折り畳み式容器の拡張中に右凹壁を形成する。左上縁８６、左下前縁部８７Ａおよび左下後縁部８７Ｂは内側に押すことができる折り曲げ線を形成し、それによって、折り畳み式容器の拡張中に凹状の左壁を形成する。
【０１１６】
右上縁８４および右下縁８５は互いに対して１２０〜１６０度の角度で延び、右側コーナー９１を画定する。上側左端８６と下側左端８７は互いに対して１２０〜１６０度の角度で延在し、左側角９２を画定する。
【０１１７】
正面図では、右下縁８５および左下縁８７が折り畳まれた使い捨て容器１００の下ベース縁８９に対して１２０〜１６０度の角度βで延びている。
【０１１８】
図１３Ａおよび図１３Ｂを参照すると、右前部７５および右後部は折り畳まれた使い捨て容器の右縁８２を内側に押し、それによって折り畳まれた使い捨て容器を拡張状態に拡張することによって、一緒に使い捨て容器の右壁に変形可能である。左前部７４および左後部は共に、折り畳まれた使い捨て容器の左縁８３を内側に押すことによって使い捨て容器の左壁に変形可能である。
【０１１９】
それ自体の上に折り畳まれたベース部分１３の各側には、それ自体の上にも折り畳まれた三角形領域９３、９４が存在することに留意されたい。三角形領域９３、９４は、ブランクの菱形部分７、８の一部を形成する。折り畳まれた使い捨て容器が拡張されると、これらの三角形領域も右壁または左壁の一部となる。三角形の領域は、図６および図１０に示されている。各三角形領域９３、９４は、それ自体、２つの三角形領域から構成される。
【０１２０】
拡張使い捨て容器
【０１２１】
図１４、１５を参照すると、使い捨て容器２００が示されている。使い捨て容器２００の種々の部分の説明において、拡張された使用状態においてのみ存在する部分には、新たな参照番号が使用される。折り畳まれた状態でも存在するか、またはブランクでも存在する部品については、折り畳まれた容器またはブランクと同じ参照番号が使用される。
【０１２２】
使い捨て容器２００は、シート材料、特に厚紙から製造される。使い捨て容器２００が折り畳まれる方法のために、油ベースのワックス防水処理の必要はない。
【０１２３】
使い捨て容器２００は、前壁２０１、右壁２０２、左壁を備え、２０３は後壁２０４である。使い捨て容器２００は、ベース２０６を備える。ベースは平坦であり、使い捨て容器が立つことができる表面を形成する。ベース２０６は、正方形または長方形の形状を有する。
【０１２４】
壁２０１、２０２、２０３、２０４は、ベース２０６から上方に延びている。前壁２０１および後壁２０４は凸状である。右壁２０２および左壁２０３は凹状である。使い捨て容器２００は、前壁、右壁、左壁、および後壁を接続する上端２０７を備える。
【０１２５】
使い捨て容器２００は、少なくとも部分的に弱められた周囲２０８を有するピー開口領域２８を備える。周囲を破壊することができ、その結果、外側に折り畳むことができるフラップ２０５と、尿が使い捨て容器に入ることができるピー開口部２０９とが得られる。フラップは、吸湿材料で覆われてもよい。フラップが前壁に取り付けられる折り線は比較的柔らかく、使用者の快適さをさらに改善し、繊細な身体部分における紙の切断を防止する。
【０１２６】
別の実施形態では、フラップが内側に折り畳まれてもよい。さらに別の実施形態では、フラップは完全に引き裂かれてもよい。再び別の実施形態では、フラップは存在しなくてもよく、ピー開口は既にブランク１０内に存在している。
【０１２７】
ピー開口２０９又はピー開口領域２８は、腰部の高さに設けられる。
【０１２８】
使い捨て容器はまた、後壁に第２のピー開口部またはピー開口領域を備えてもよい。第２のピー開口または第２のピー開口領域は、第１のピー開口またはピー開口領域とは異なるサイズまたは形状を有する可能性がある。
【０１２９】
使い捨て容器は上端に垂直フラップ１５０を含み、垂直フラップは、特に貫通孔１５１を含む。
【０１３０】
使い捨て容器は、ピー開口部２０９の下部リムより下の０．５〜１．５リットルの容積を有する可能性がある。
【０１３１】
図１７を参照すると、正面図において、使い捨て容器は腰部３５を有し、腰部は、ベースにおける前部幅Ｗ２よりも小さく、上端における前部幅Ｗ３よりも小さい前部幅Ｗ１を有する（幅は図１に示される）。特に、前部幅はベース２０６から腰部区域まで徐々に減少し、腰部区域から上端２０７まで徐々に増加する。さらに、右壁２０２および左壁２０３の最上部２４１は凹状ではなく凸状または真っ直ぐでもよいが、右壁２０２および左壁２０３の全体形状は凸状であることに留意されたい。
【０１３２】
図１８を参照すると、側面図において、使い捨て容器は腰部の高さで最大に達する側部幅Ｗ４を有し、腰部の側部幅は、ベースの側部幅Ｗ５よりも大きく、上端の側部幅Ｗ６よりも大きい。側部幅は特に、ベースから腰部に向かって徐々に増加し、腰部から上端に向かって徐々に減少する。
【０１３３】
前壁２０１と後壁２０４は上端２０７で合流する。正面図では上端部はベースよりも幅広であるが、明らかにこれを変更することができる。右壁２０２と左壁２０３は、上端部で合流していない。なお、前壁２０１および後壁２０４の最上部２４０は凸状ではなく、凹状または真っ直ぐでもよいが、前壁２０１および後壁２０４の全体形状は凸状である。
【０１３４】
図１８では、右側壁２０２の底部に三角形の折り畳み部分３５０が見える。三角形の折り曲げ部分３５０は、右側壁２０２の側壁折り曲げ線１５の両側の２つの小さい三角形から構成される。三角形の折り曲げ部分３５０は、菱形の折り曲げ部分７から得られる。
【０１３５】
図１９Ａ、１９Ｂ、１９Ｃを参照すると、使い捨て容器２００はベースの前部右隅２１４から上方に延びる湾曲した前部右縁２１０と、ベースの前部左隅２１５から上方に延びる湾曲した前部左縁２１１と、ベースの後部右隅２６から上方に延びる湾曲した右後縁２１２と、ベースの後部左隅２１７から上方に延びる湾曲した左後縁２１３とを備え、湾曲した右前縁２１０および湾曲した右後縁２１２は上端で合流し、湾曲した左前縁２１１１および湾曲した左後縁２３は上端で合流する。
【０１３６】
湾曲縁部２１０、２１ １、２１２、２１３は、ブランクおよび折り畳まれた容器からの折り線８０、８１、１８１、１８２から形成される。側壁折り線１４、１５は使い捨て容器内で見えるままであり、左右の壁の上に延在する。
【０１３７】
前壁２０１、右壁２０２、左壁２０３、および後壁２０４は、ベースの３つの角２１４、２１５、２１６から上方に延びる３つの直立縁２１０、２１１、２１２を形成する３つの折り線８０、８１、１８１を介して互いに一体的に接続される。接着剤接続は、第４の折り線１８２で形成される。
【０１３８】
湾曲した前右縁２１０および湾曲した右縁部２１２は、右平面を画定する。右壁２０２は、右平面上、または右平面の外側のいずれかに位置する。同様に、湾曲した前方左縁２１１および湾曲した左縁部２１３は、左平面を画定する。左壁２０３はこの左平面上に、またはこの左平面の外側に位置する。本発明による容器の右壁および左壁の形状はＤ１の容器の右壁および左壁の形状とは全く異なり、右壁および左壁のかなりの部分は、それぞれ、前壁および後壁の対応する縁によって画定される左平面の（内側の）右平面内に存在する。これらの異なる形状の技術的効果は、より良好な経済的形状である。容器が使用者の脚の間に配置されると、脚は右壁および左壁に係合し、前壁および後壁のむしろ鋭利な縁ほど係合しなかった。この結果、ユーザはより快適になる。
【０１３９】
さらに、図１９ａおよび様々な他の図に示されるように、右壁２０２および左壁２０３は、単一の曲率面において実質的に湾曲している。これは、Ｄ１の容器の右壁及び左壁とも全く異なる。右壁２０２および左壁２０３は単一の曲率平面内で実質的に湾曲しているが、上部がわずかに外側に膨らむ傾向を有する可能性があることに留意されたい。しかしながら、これは、上部で内側に膨らむＤ１の容器の右壁および左壁とは全く異なる。
【０１４０】
さらに、Ｄ１の容器の右壁および左壁は、それらの表面のかなりの部分にわたって、特に下半分において凸状である（Ｄ１の図１を参照のこと）。これも、凸部を有さない本発明の右壁及び左壁とは全く異なる。
【０１４１】
２つの壁２０１、２０４は、ベースの第４のコーナー２１７から上方に延びる第４の直立縁部２１３において接着接続を介して互いに接続される。当業者であれば、４つの直立縁部のいずれかに接着接続部を形成することができることを理解するのであろう。
【０１４２】
図２０Ａ、２０Ｂ、２０Ｃを参照すると、わずかに上方に配置されたピー開口領域２８を有する男性型が示されており、その結果、ピー開口の下側リムの下側に大きな容積が生じる。
【０１４３】
図２１、図２２、図２３および図２４を参照すると、本発明の別の実施形態が示されている。この実施形態はベース２０６が幅Ｗ７よりもかなり大きい長さＬ１を有する長方形であるという意味で、より狭く、ピー開口領域２８またはピー開口は右壁２０２または左壁２０３に位置する。ベース周囲折り線３０は直線である。この実施形態は、仰臥位のベッドにいる女性ユーザに特に有用である。使い捨て容器の比較的狭い形状は、脚部間の容易な位置決めを可能にする。
【０１４４】
図２５、図２６、図２７、図２８を参照すると、シックバッグとして構成された使い捨て容器２００が示されている。フラップ２６、２７は互いに連結されておらず、緩んだままである。
【０１４５】
垂直フラップ１５０は波形を有し、その結果、より高い部分（左）およびより低い部分（右）が得られる。より高い部分は鼻に配置されることが意図され、より低い部分は口または顎に配置されることが意図される。
【０１４６】
図２９、図３０および図３１を参照すると、左右の角２２１、２２２を内側に押すことによって、ユーザが上端を開くことができる。これにより、上部開口部２２０が形成され、また、図３０に示すように、使い捨て容器の形状が変化し、次いで、使用者は、シックバッグに吐き込むことができる。使い捨て容器２００は、ピー開口又はピー開口領域を有していない。この実施形態は、例えば自動車の小便器として使用することもできる。この場合、フラップ１５０のより高い部分は前方部分を形成するように意図され、より低い部分はバンブの下に配置されるように意図される。
【０１４７】
使用
【０１４８】
折り畳まれた容器から使い捨て容器を形成する方法は、折り畳まれた使い捨て容器の左縁および右縁を内側に押すことと、凹状の右壁および左壁ならびに凸状の前壁および後壁を形成することとを含む。
【０１４９】
図３２Ａ〜Ｅを参照すると、男性または女性の使用者２２８は、背中をいくらか直立させた状態でベッド上に横たわることができる。脚２３０を分離し、膝をわずかに持ち上げる。使い捨て容器２００は、脚２３０の間に配置することができる。上側の２０７は脚の間から上方に突出し、ユーザは上側の２０７を手で保持することができる。脚部は一緒に圧迫され、それによって、図に示されるように、使い捨て容器を締め付けることができる。３２Ｄ. 次いで、ユーザは、ピーすることができる。完成すると、脚部は再び広げられ、使い捨て容器２００は取り外され、廃棄されてもよい。
【０１５０】
図３３、図３４及び図３５を参照すると、ピー開口部２０９は、女性ユーザのピーホール２２５の直前に自動的に位置決めされることが示されている。舌の折り目は、マットレスの約５０ｍｍ上方で膣の下端にある。ピーホール２２５は、マットレスの約９０〜１００ｍｍ上方にある。フラップ２０５は、内側または外側に折り畳まれる。外側に折り畳まれたとき、フラップは任意に粘着性衛生ナプキンを含み、使用者の臀部頬の間にある。
【０１５１】
後壁２０４の内面は、尿を下方に偏向させる。
【０１５２】
使用者は一般に、使い捨て容器が配置されるべき場所でマットレスのわずかな傾斜を作り出す。これは自動的に、約１０度の使い捨て容器のわずかな傾斜をもたらし、その結果、ピー開口部２０９は正しい方法で位置決めされ、配向される。ブラダー２３４および肛門２３５もまた、さらに明確にするために示されている。
【０１５３】
図３６を参照すると、使い捨て容器は、男性によって使用されていることが示されている。ペニス２３３は、ピー開口２０９に挿入される。
【０１５４】
図３７を参照すると、さらなる変形例が示されている。ベース１３は、ブランクの中央に配置されている。ベースは、正方形または長方形の形状を有するベース周囲折り線３０によって壁部から境界が定められる。
【０１５５】
壁部分１１は、互いに分離した複数の壁領域３１、３２、３３、３４を有する。前壁ゾーン３１、後壁ゾーン３２、右壁ゾーン３３、および左壁ゾーン３４の各々は、それぞれのベース折り線４０、４１、４２、４３を介して前記中央に位置するベースの側部に一体的に接続され、中央に位置するベースから離れるように延びる。
【０１５６】
壁ゾーン３１、３２、３３、３４の少なくとも２つ、特に左側壁ゾーン３３および右側壁ゾーン３４は４つの壁ゾーン間に接着接続を形成するために、両側に接着フラップ５８を備える。
【０１５７】
ベース周囲折り線３０は正方形または長方形であり、４つのコーナー位置５０、５１、５２、５３を含む。コーナー位置は、ブランクの外縁１９９からある距離にある。相互接続折り線３２０は各コーナー位置から離れるように延在し、接着フラップ５８を隣接する壁ゾーンに接続するコーナーシートセクション３２２が設けられる。コーナーシートセクションは、コーナーから離れるように延在する相互接続折り線３２０を介して前記接着フラップに接続される。コーナーシート延長部は、反対側の折り線３２３を介して隣接する壁に接続されている。コーナーシートセクション３２２は、相互接続折り線３２０の周り及び反対側の折り線３２３の周りに折り曲げられるように意図され、一方の側で隣接する壁への接着接続で接続され、他方の側で接着接続を介して接着フラップに接続されるように意図される。
【０１５８】
各コーナーシートセクション３２２は、それが取り付けられる接着フラップ５８を別の壁ゾーンに接続する。コーナーシートセクション３２２は、三角形であってもよい。相互接続折り線３２０およびコーナーシートセクション３２２は折り畳まれた使い捨て容器の製造中に、コーナーで液密接着接続が形成されることを確実にする。
【０１５９】
図３８、３９、４０を参照すると、図３７のブランクから折り畳まれた使い捨て容器を形成する方法が示されている。前壁ゾーン３１、後壁ゾーン３２、右壁ゾーン３３および左壁ゾーン３４は、それらがベースに接続されるベース折り線４０、４１、４２、４３の上に折り畳まれる。特に接着フラップ５８を介して、前壁ゾーン３１、後壁ゾーン３２、右壁ゾーン３３および左壁ゾーン３４の間に接着接続が形成される。
【０１６０】
第２の発明  ブランク
【０１６１】
図４１、４２Ａおよび４２Ｂを参照すると、使い捨て容器が真っ直ぐな壁を有する第２の発明のブランク３１０が示されている。多くの特徴は、図１〜１８の変形に類似している。簡潔にするために、これらの特徴の多くは、以下では再び説明されず、相違差に焦差が当てられる。
【０１６２】
図４１Ａは折り畳まれた使い捨て容器４００を製造するためのブランク３１０を示し、このブランクは、ベース１３と、壁部１１と、上端部１２とを備える。ベースは、ベース周囲折り曲げ線３０によって壁部から区切られている。壁部分は、前壁ゾーン３１、後壁ゾーン３２、右壁ゾーン３３および左壁ゾーン３４を含む。
【０１６３】
壁ゾーン３１、３２、３３、３４の側縁５９、６０は直線であり、前壁ゾーン３１、後壁ゾーン３２、右壁ゾーン３３および左壁ゾーン３４の間の折り曲げ線８０、８１、８１も直線である。側縁５９、６０及び折り曲げ線８０、８１、１８１は一般に、側部と呼ばれる。
【０１６４】
図４１Ａの実施形態では前壁ゾーンおよび後壁ゾーンは台形の形状を有するが、これは正方形または長方形の形状であってもよい。右壁ゾーンおよび左壁ゾーンは、三角形の形状を有する。
【０１６５】
ピー開口２０９またはピー開口領域２８の中心３０１は、折り畳まれた容器の高さの４０〜６０パーセントに設けられる。
【０１６６】
図４１Ａのブランクは図４４の折り畳まれた使い捨て容器をもたらし、ブランクは、真っ直ぐな壁を有する容器をもたらす。
【０１６７】
図４２Ａを参照すると、別の実施形態が示されている。ブランクは図１および図４１のブランクに対して鏡像にされており、その実施形態は、屋根折り線３３１を介して壁ゾーン３１、３２、３３、３４の上端に取り付けられた屋根部分３３０を備える。斜めの屋根折り線３３５は、屋根折り線３３１が壁ゾーン間の折り線８０、８１、１８１と出会うコーナー３３６から離れて延びる。
【０１６８】
ブランクは、４つの屋根部分３３０を含む。４つの屋根部分３３０は、中間屋根部分３３７を介して互いに接続され、それによって、壁部分１１の上端に沿って延びる単一の屋根ゾーンを形成する。屋根折り線３３１は、ブランクの左側からブランクの右側に延びる１つの相互接続された屋根折り線を形成する。
【０１６９】
中間ルーフ部分３３７は、コーナー３３６に隙間が生じないので、形成される容器のルーフが液密になるというプラスの効果を有する。
【０１７０】
右壁ゾーン３３には、２つのダイヤモンド形状の折り畳み部７、７Ａが設けられ、１つはベース用、１つは屋根用である。左壁ゾーン３４には、２つのダイヤモンド形状の折り畳み部８、８Ａが設けられ、１つはベース用、１つは屋根用である。ダイヤモンド形状部分は、折り曲げ線によって画定される。
【０１７１】
図４２Ａのブランクは、図５０の折り畳まれた使い捨て容器をもたらす。
【０１７２】
図４２Ｂを参照すると、ベース部分１３は、４つの別個の部分から形成されておらず、ブランクを横切って左から右にバンドとして延びている。各ベース４４、４５、４６、４７は、ベース周囲折り線３０から測定した長さＬ２が同じである。オーバーラップ部分４８は三角形である。
【０１７３】
屋根部分３３０は、２つのグループに分割することができる。短い屋根部分３３０は前壁ゾーン３１および後壁ゾーン３３に接続され、長い屋根部分３３０は右壁ゾーン３３および左壁ゾーン３４に接続される。
【０１７４】
図４２Ｂのブランクは図４８の折り畳まれた使い捨て容器をもたらし、図４８は上端に垂直フラップ１５０を示し、この垂直フラップは、図４２Ｂのブランクが折り畳まれた容器に形成されるときには存在しないという差を有する。
【０１７５】
図５３、５４、５５を参照すると、別の実施形態では、ブランク３１０は中央ベース１３を有する。第２の発明のブランクのこのバージョンは、第１の発明の図３７の実施形態と同様である。ベース１３は正方形または長方形の形状を有し、４つのベース折り線４０、４１、４２、４３を含むベース周囲折り線３０によって壁部から境界が定められている。壁部分は、互いに分離した４つの別個の部分、すなわち前壁ゾーン３１、後壁ゾーン３２、右壁ゾーン３３および左壁ゾーン３４を含む。前壁ゾーン３１、後壁ゾーン３２、右壁ゾーン３３、および左壁ゾーン３４の各々は、それぞれのベース折り線４０、４１、４２、４３を介して前記中央に位置するベースに一体的に接続され、中央に位置するベース１３から離れるように延びる。
【０１７６】
壁ゾーン３１、３２、３３、３４の各々は、側縁３２５を含む。側縁３２５は直線である。サイドエッジ３２５は、サイドとも呼ばれる。
【０１７７】
壁ゾーン３１、３２、３３、３４の外側端部には、屋根折り線３３１を介して壁ゾーン３１、３２、３３、３４に接続された屋根部分３３０が設けられている。
【０１７８】
右壁ゾーン３３には、２つのダイヤモンド形状の折り畳み部７、７Ａが設けられ、１つはベース用、１つは屋根用である。左壁ゾーン３４には、２つのダイヤモンド形状の折り畳み部８、８Ａが設けられ、１つはベース用、１つは屋根用である。ダイヤモンド形状部分は、折り曲げ線によって画定される。
【０１７９】
切欠き３３３が、前壁ゾーンおよび後壁ゾーンの屋根部分３３０に設けられている。
【０１８０】
壁ゾーン３１、３２、３３、３４の少なくとも２つ、特に左側壁ゾーン３３および右側壁ゾーン３４は、４つの壁ゾーン間に接着接続を形成するための接着フラップ５８を備える。
【０１８１】
ピー開口２８は、右側壁３３に設けられている。
【０１８２】
ベース周囲折り線３０は、４つのコーナー５０、５１、５２、５３を含む。図３７の実施形態と同様に、相互接続折り線３２０が各コーナーから離れるように延在し、コーナーシートセクション３２２が接着フラップ５８を隣接する壁ゾーンに接続する（図５３参照）。示されているコーナーシートセクション３２２は、右壁ゾーン３３の接着フラップ５８を前壁ゾーンに接続する。コーナーシートセクション３２２は、三角形であってもよい。相互接続折り線３２０およびコーナーシートセクション３２２は折り畳まれた使い捨て容器の製造中に、コーナーで液密接着接続が形成されることを確実にする。
【０１８３】
図５３の実施形態は、正方形または長方形の前壁ゾーン３１および後壁ゾーン３３と、台形の右壁ゾーン３３および左壁ゾーン３４とを有する。台形の右壁ゾーンおよび左壁ゾーンは、幅広のベースおよび幅狭の頂部を有する。図５４の実施形態は、正方形または長方形の前壁ゾーン３１および後壁ゾーン３３と、台形の右壁ゾーン３３および左壁ゾーン３４とを有する。台形の右壁ゾーンおよび左壁ゾーンは、狭いベースおよび広い頂部を有する。図５５の実施形態は、正方形または長方形の前壁ゾーン３１および後壁ゾーン３３と、三角形の右壁ゾーン３３および左壁ゾーン３４とを有する。
【０１８４】
第２の発明  折り畳まれた容器
【０１８５】
図４３、４４、４５を参照すると、使い捨て容器に拡張されるように構成された折り畳まれた使い捨て容器４００が示されている。折り畳まれた使い捨て容器４００は、シート材料から製造され、中央ベース折り線６６に沿ってそれ自体の上に折り畳まれたベース１３を含む。折り畳まれた使い捨て容器４００は、形成される使い捨て容器の前壁２０１を画定する中央前部７３を備える前部７２と、形成される使い捨て容器の左前部２０３の前部を画定する左前部７４と、形成される使い捨て容器の右壁２０２の前部を画定する右前部７５と、を備える。
【０１８６】
折り畳まれた容器は、形成される使い捨て容器の後壁２０４を画定する中央後部を備える後部と、形成される使い捨て容器の左壁２０３の後部を画定する左後部と、形成される使い捨て容器の右壁２０２の後部を画定する右後部と、前部および後部が出会う上端とをさらに備える。
【０１８７】
左前部７４は中央前部７３から左前部折り曲げ線８０によって区切られ、右前部７５は中央前部７３から右前部折り曲げ線８１によって区切られている。左右の前部折り曲げ線８０、８１は直線である。同じことが、折り畳まれた容器の後側にも当てはまる。
【０１８８】
先の実施形態と同様に、折り畳まれた使い捨て容器４００は折り畳まれた使い捨て容器の右縁８２および左縁８３を内側に押すことによって拡張状態に拡張することができ、それによって、右壁および左壁を形成し、ベースセクションをベースに広げる。
【０１８９】
折り畳まれた使い捨て容器４００は、右上縁８４および右下縁８５と、左上縁８６および左下縁８７とを備える。図４３に示すように、右上縁８４、右下前縁部分および右下後縁部分は内側に押すことができる折り曲げ線を形成し、それによって、折り畳み式容器の拡張中に真っ直ぐな右壁を形成し、左上縁、左下前縁部分および左下後縁部分は内側に押すことができる折り曲げ線を形成し、それによって、折り畳み式容器の拡張中に真っ直ぐな左壁を形成する。
【０１９０】
右上縁８４および右下縁８５は互いに対して９０〜１５０度の角度ａで延在し、右側コーナー９１を画定する。左上縁部８６および左下縁部８７は互いに対して９０〜１５０度の角度ａで延び、左側コーナー９２を画定する。正面図では、右下縁８５および左下縁８７が折り畳まれた使い捨て容器の下ベース縁８９に対して１２０〜１６０度の角度βで延びる。
【０１９１】
図４３の実施形態は、長方形の中央前部７３を有する。図４４の実施形態は台形の中央前部７３を有し、ベースは頂部よりも狭い。図４４の実施形態は台形の中央前部７３を有し、頂部はベースよりも狭い。
【０１９２】
図１〜１８の実施形態と同様に、ベースは互いに折り重ねられ、接着接続を介して互いに接続された複数のベースによって形成され、各ベースはそれぞれのベース折り線を介して、形成される容器のベースから上方に延在する壁のうちの１つに一体的に接続される。
【０１９３】
折り畳まれた使い捨て容器４００は使い捨て小便器を形成することができ、中央前部７３はピー開口部、またはピー開口部を形成するためにピー開口部領域を内側または外側に折り畳むために、ピー開口部領域を除去するように、またはピー開口部領域を内側または外側に折り畳むように、少なくとも部分的に弱められ、破壊されるように構成された周囲を有するピー開口部領域を含むことができる。
【０１９４】
中央前部７３と中央後部は、折り畳まれた使い捨て容器の上端で互いに取り付けられなくてもよい。このような拡張形態の実施形態では、使い捨て容器の上端部が左右の隅部を内側に押すことによって使用者が開くことができ、それによって、上側開口部を作り出すことができる。
【０１９５】
図４６および図４７に示されるように、少なくとも１つの側壁はピー開口部２０９、またはピー開口部２０９を形成するためにピー開口部領域を内側または外側に折り畳むために、ピー開口部領域を除去するように、またはピー開口部領域を内側または外側に折り畳むように破壊されるように構成される、少なくとも部分的に弱められた周囲２０８を有するピー開口部領域２８を備えてもよい。一般に、この変形例では、ピー開口は側壁にある。ピー開口又はピー開口領域の中心は、折り畳まれた容器の高さの４０〜６０パーセントに設けられる。
【０１９６】
図１〜１８の実施形態と同様に、複数のピー開口またはピー開口領域を設けることができる。
【０１９７】
図４８、４９、５０の変形例では左右の側壁部分７４、７５は余分なコーナー３６０、３８を含む。右縁８２は、ここでは底部から頂部８５、８４及び３６２までの３つの部分を含む。また、左縁８３は、３つの部分８７、８６、３６３を有する。この形状により、折り畳まれた容器の膨張中に屋根部分３１２が形成される（図５２参照）。
【０１９８】
前壁（２０１）、右壁（２０２）、左壁（２０３）および後壁（２０４）が接着接続を介して互いに接続され、前壁（２０１）、右壁（２０２）、左壁（２０３）および後壁（２０４）の各々が折り線を介してベースに一体的に接続される、請求項１２７〜１２９を除く、先行する請求項１２２〜１３５のいずれかに記載の折り畳まれた使い捨て容器。
【０１９９】
第２の発明  容器
【０２００】
図４１Ｂ、４１Ｃ、４１Ｄを参照すると、図４１Ａのブランクから形成された使い捨て容器５００が示されている。ブランク３１０は最初に、折り畳まれた使い捨て容器に形成され、その後、拡張される。これは、図１〜１８の実施形態と同様である。
【０２０１】
図４１Ａのブランク３１０の形状のために、前壁２０１、右壁２０２、左壁２０３、および後壁２０４はベースの３つのコーナー２１４、２１５、２１６から上方に延びる３つの直立縁部２１０、２１１、２１２を形成する３つの折り線８０、８１、１８１を介して互いに一体的に接続され、特に２つの壁２０１、２０４はベースの第４のコーナー２１７から上方に延びる第４の直立縁部２１３で接着接続を介して互いに接続される。
【０２０２】
ベースは互いに折り重ねられ、接着接続を介して互いに接続された複数のベース４４、４５、４６、４７によって形成され、各ベースはそれぞれのベース折り線４０、４１、４２、４３を介して、ベースから上方に延びる壁２０１、２０２、２０３、２０４の１つに一体的に接続されている。
【０２０３】
ベースは、
左ベース折り線４０を介して左壁に接続された左ベース４４、
前ベース折り線４１を介して前壁に接続された前ベース４５、
右ベース折り線４２を介して右壁に接続された右ベース４６、
後ベース折り線４３を介して後壁に接続された後ベース（４７）、を含み、ベースは４つのコーナー２１４、２１５、２１６、２１７を有し、対角ベース折り線５４、５５、５６、５７は各コーナーから延び、対角ベース折り線は左ベース、前ベース、右ベース、および後ベースを相互接続し、左ベース、前ベース、右ベース、および後ベースは互いに折り重ねられる。
【０２０４】
左ベースおよび右ベースは前部および後部ベースの内側６４に対して接着される重なり部分４８を含み、重なり部分および斜めのベース折り線を含む前部および後部ベース４５、４７は液密シールを形成するために、左および右ベースの外側６５に対して折り重ねられ接着される。
【０２０５】
図４２Ａ１、図４２Ａ２、図４２Ａ３を参照すると、図４２Ａのブランクから生じる使い捨て容器が示されている。折り畳まれた使い捨て容器は図４８に示されており、側壁２０１、２０２、２０３、２０４は直線である。左右側壁２０２，２０３は台形である。前側壁２０１および後側壁２０４は矩形であるが、正方形であってもよい。三角形の折り畳み部分３５０が右側壁２０２の底部に見え、三角形の折り畳み部分３５１が右側壁の頂部に見える。三角形の折り畳み部分３５０、３５１は、２つのより小さい三角形から構成される。三角形の折り曲げ部分３５０、３５１は、菱形の折り曲げ部分７、７Ａから得られる。屋根部３１２は、矩形状を有している。
【０２０６】
図４２Ｂ１、図４２Ｂ２、図４２Ｂ３を参照すると、図４２Ｂのブランクから得られる使い捨て容器が示されている。折り畳まれた使い捨て容器は図４４に示されており、４つの壁２０１、２０２、２０３、２０４は、幅の広いベースと幅の狭い頂部を有する台形の形状を有する。
【０２０７】
図５３Ａ、図５４Ａ、図５５Ａを参照すると、使い捨て容器５００の別の実施形態は、シート材料から製造され、図１４〜１９Ｃなどの先の図に示された容器２００といくつかの類似点を有する。５３Ａ、５４Ａ、５５Ａの容器は、それぞれ図５３、５４、５５のブランクから形成される。
【０２０８】
容器５００は折り畳まれた使い捨て容器４００から、折り畳まれた使い捨て容器の左縁８３および右縁８２を内側に押し、それによって折り畳まれた使い捨て容器を拡張状態に拡張させることによって形成されている。
【０２０９】
使い捨て容器は、使い捨て容器が立つことができるベース２０６と、前壁２０１と、右壁２０２と、左壁２０３と、ベースから上方に延びる後壁２０４とを備える。図１４〜１９Ｃの実施形態とは異なり、前壁２０１、右壁２０２、左壁２０３および後壁２０４は直線である。容器５００は、それぞれ図５３、５４、５５に示すブランクから作ることができる。
【０２１０】
使い捨て容器５００は、ベースの前右隅２１４から上方に延びる直線前右縁２１０と、ベースの前左隅２１５から上方に延びる直線前左縁２１１と、ベースの後右隅２１６から上方に延びる直線右後縁２１２と、ベースの後左隅２１７から上方に延びる直線左後縁２１３とを含む。
【０２１１】
使い捨て容器がそれぞれ図５３、５４、５５のブランクから作られる場合、前壁２０１、右壁２０２、左壁２０３、および後壁２０４の各々はベース折り曲げ線を介してベースに一体的に接続され、前壁２０１、右壁２０２、左壁２０３、および後壁２０４は接着接続を介して、特に接着フラップ５８を介して互いに接続される。
【０２１２】
図５３Ａでは側面図において、容器５００は狭いベースを有する台形形状を有する。また、容器５００は、屋根部を有している。正面図では、容器は正方形または長方形の形状を有する。
【０２１３】
図５４Ａでは側面図において、容器５００は幅広のベースおよび幅狭の頂部を有する台形形状を有する。また、容器５００は、屋根部を有している。正面図では、容器は正方形または長方形の形状を有する。
【０２１４】
図５５Ａでは側面図において、容器５００は幅広のベースと幅狭の頂部とを有する三角形の形状を有する。側面図では、前壁と後壁は上端で合流する。右前縁部および右後縁部は上端で合流し、左前縁部および左後縁部は上端で合流する。
【０２１５】
正面図では、容器５００は台形の形状を有することもできる。
【０２１６】
容器５００のベースは、正方形または長方形の形状を有する。ベースは、平坦であってもよく、容器が立つことができる表面を形成してもよい。
【０２１７】
使い捨て容器５００は使い捨て小便器を形成することができ、少なくとも１つの側壁２０２、２０３はピー開口部２０９、またはピー開口部２０９を形成するためにピー開口部領域を内側または外側に折り曲げるために、少なくとも部分的に弱められ、破壊されるように構成された周囲２０８を有するピー開口部領域２８を備える。
【０２１８】
別の実施形態では使い捨て容器５００が使い捨て小便器を形成することができ、前壁２０１は、
ピー開口部２０９、または、
ピー開口部２０９を形成するために、ピー開口部領域を除去するために、またはピー開口部領域を内側または外側に折り曲げるために、少なくとも部分的に弱められ、破壊されるように構成される周辺部２０８を有するピー開口部領域２８、
を含む。
【０２１９】
ピー開口２０９またはピー開口領域２８の中心は、折り畳まれた容器の高さの４０〜６０パーセントに設けられる。
【０２２０】
典型的には、側壁は一般に前壁及び後壁よりも狭いので、ピー開口又はピー開口領域は側壁に設けられる。
【０２２１】
図５３Ａの実施形態では、屋根部分３１２が屋根開口部３１３を備える。屋根開口部は、ブランクの切り欠き３３３によって形成される。屋根部分３１２は、屋根部分３３０を互いに折り曲げることによって形成される。
【０２２２】
屋根開口部は、体液または他の液体が頂部を介して挿入されることを可能にする。この実施形態では側壁に開口はないが、側壁に追加の開口を設けることも可能である。この実施形態は、飲料等の液体を保持することができる使い捨て廃棄バスケットとしても機能することができる。
【０２２３】
別の実施形態では、使用者が左右の隅部を内側に押すことによって上端部を開くことができ、それによって上側開口部を作り出し、使い捨て容器５００を圧搾して開き、シックバッグとして使用することができる。
【０２２４】
第２の発明のさらなる実施形態
【０２２５】
図５６を参照すると、第２の発明のさらなる実施形態が示されている。ブランク３１０は屋根部分３３０を有する。屋根部分３３０は、第１の幅広曲線３４０と、第２の反対側のより小さい曲線３４１と、第１の曲線と第２の曲線との間の丸みを帯びた狭窄部分３４２とを有する丸みを帯びた形状を有する上部開口３１３を有する。上部開口は、ルーフ折り線３３１を介して前壁ゾーンおよび後壁ゾーンに取り付けられるルーフ部分に設けられる。
【０２２６】
開口３１３を含む各ルーフ部分３３０は、セグメント折り線３４６を介して接続された２つのセグメント３４４，３４５を含む。
【０２２７】
切り欠き部３３は、左右の壁領域３３、３４に取り付けられた屋根部３３０に設けられている。切り欠き部３３３は、ダイヤモンド部７Ａ、８Ａの一部を取り除く。
【０２２８】
この実施形態では、４つの壁ゾーン３１、３２、３３、３４はすべて台形の形状を有する。
【０２２９】
図５７、５８、５９および６０を参照すると、図のブランク３１０を折り畳んで折り畳んだ容器４００にすることができる。壁領域３１、３２、３３、３４は上方に折り曲げられ、接着フラップ５８を介して接続される。開口部３１３を有する屋根部分３３０は図５８に示すように、屋根セグメント３４４を内側に折り曲げ、屋根セグメント３４５を外側に折り曲げることによって、それ自体の上に折り曲げられる。
【０２３０】
図５９を参照すると、次に、折り畳まれた容器４００は、ベース１３を中央ベース折り線６６上に折り畳むことによって形成され、ダイヤモンド部分７、７Ａ、８、８Ａは内側に折り畳まれ、左右の壁領域３３、３４の残りは外側に折り畳まれる。左右の壁領域３３、３４は、側壁折り線１４、１５の上に折り曲げられる。図５９は図１２と強い類似性を有し、屋根セグメント３４５と違い、上方に延びている。
【０２３１】
図６０を参照すると、折り畳まれた容器が拡張されるとき、ベース１３は広げられる。左右の壁領域３３、３４は、側壁折り線１４、１５の上に広げられる。
【０２３２】
図６１を参照すると、本発明によるブランク１０が示されている。ブランク１０は図１のブランクと非常に類似しているが、幾つかの違いがある。ベース１３には、折り線３０１がない。図１の菱形部分７、８は、三角形部分７’、８’になっている。残りの部分については、図６１および図１のブランクは全く同様である。
【０２３３】
この実施形態に示されるさらなる特徴はブランク、特に、ブランクが作製される紙または厚紙における繊維の支配的な繊維配向に対する側壁折り線１４、１５の配向が関連することである。支配的な繊維配向は、矢印３１０で示されている。好ましくは、側壁折り線１４、１５は支配的な繊維配向に対して直角に配向される。これは、折り畳まれた容器が側壁折り線１４、１５を内側に押すことによって容器に拡張されるときのポップアップ効果を改善する。
【０２３４】
図６２を参照すると、ブランク１０が示されている。このブランクも、図１および図６１のブランクと非常に類似しているが、いくつかの違いがある。ベース周囲折り線３０は直線である。この真っ直ぐなベース周囲折り線３０の利点は、製造ラインにおいて多数のブランクを折り畳んで折り畳まれた容器にする機械的装置により適していることである。図１および図６１のブランクは、自動的に製造することがより困難である。
【０２３５】
また、ベース縁３０２も直線である。これは、ブランク０から作られる折り畳まれた容器の製造性をさらに改善する。
【０２３６】
図６３を参照すると、このブランクはまた、真っ直ぐなベース周囲折り線３０および真っ直ぐなベース区分縁３０２を有する。しかしながら、壁部分の縁６０、５９は異なって切断され、側壁折り線１４、３４上に延在する。縁部５９、６０は、ベース縁部３０２と同様に直線である。これにより、右壁ゾーン３３は、２つの別個の左壁ゾーン部分３３Ａ、３３Ｂに切断される。このようにして、ブランク１０は、実質的に（完全ではないが）長方形の形状を有する。これは、ブランク１０から適切な折り畳み装置を用いて自動的に折り畳まれた容器を製造する可能性をさらに改善する。
【０２３７】
図６４を参照すると、ブランク１０の実施形態が示されており、３つの側壁ゾーン３１、３３、３２がベース１３の一方の側に接続され、４つの側壁ゾーンの１つ、すなわち側壁ゾーン３４がベース１３の反対側に接続されている。
【０２３８】
この実施形態は、側壁ゾーン３４の両側に取り付けられた接着フラップ５８を有する。この実施形態は側壁折り線１４、１５の周りに、また中央ベース折り線６６の周りにも対称であるという利点を有する。側壁折り線１４、１５は、互いに整列している。中央ベース折り曲げ線６６も側壁折り曲げ線１４、１５と整列している。
【０２３９】
図６５を参照すると、この実施形態は側壁ゾーン３１、３２、３３、３４に対するブランクの縁１９９の位置のために、側壁ゾーンの１つ（左壁３４）が別個の部分３４Ａ、３４Ｂに分割されている点で、図６３の実施形態と全く同様である。しかしながら、図６３とは反対に、ベース周囲折り線３０及びベースセクション縁部３０２は直線ではなく、単一のコーナー４５０を有する。ベース部分縁部３０２は、ベース部分４４、４５、４６、４７が互いに完全に取り付けられているという意味で連続している。第１のベース部分４４は、別個のベース部分区分４４Ａ、４４Ｂに分割されている。
【０２４０】
図６６を参照すると、この実施形態は、図３７に示す実施形態と同様である。１つの違いは、図６６の実施形態のベース１３が図３７に示される実施形態の正方形の形状の代わりに長方形の形状を有することである。
【０２４１】
図６６の実施形態では側壁折り線１４、１５は繊維の主方向に対して直角に配向されている。
【０２４２】
図６７を参照すると、この実施形態では、両方の側壁ゾーン３３および３４が２つの別個の部分３３Ａ、３３Ｂ、３４Ａ、３４Ｂに切断されている。このブランクは、前壁ゾーン３１と後壁ゾーン３２とを同一の部分に分割するベース折り線６６に関して対称である。ブランク１０はベースフラップ３１２、３１３を有し、これらはコーナー位置５０、５１、５２、５３から離れる方向に延びる相互接続折り線３２０によって相互接続されている。ベースフラップ３１２、３１３は真っ直ぐな縁部３１４を有する。
【０２４３】
図６８の実施形態は図６７の実施形態と同様であるが、ベースフラップ３１２、３１３が幾分大きく、湾曲した縁部３１４を有する点が異なる。
【０２４４】
図６９を参照すると、ブランク１０の一実施形態が示されており、それ自体は液密ではない。コーナー位置５０、５１、５２、５３は、ブランク１０の縁部３０２に沿って配置されている。換言すれば、このブランク１０は、ブランクの縁部からある距離に位置するコーナー位置を有しておらず、前のブランクの対角折り線５４、５５、５６、５７または相互接続折り線３２０を有していない。したがって、このブランクは、他の準備がなされない場合、コーナー位置で漏れやすい。
【０２４５】
このブランク１０は例えば、非流体アイテムを貯蔵するために使用することができ、または流体密封性を提供するために内側ライナーバッグを備えることができる。内側ライナーバッグを開口部２８に接続することができる。
【０２４６】
ベース１３は、先に開示した実施形態よりも単純である。ベース１３は、前半部３１５Ａと後半部３１５Ｂとを含む。後半部は、接着ストリップ３１６によって後壁３２に接続されている。
【０２４７】
このブランクは、折り線１４、１５を内側に押すことによって、折り畳まれた状態から拡張された状態に拡張され、それによって左側壁および右側壁を広げる能力を有する。
【０２４８】
図７０を参照すると、本発明によるインナーライナーバッグ６００のためのブランク７００の一実施形態が示されている。ブランク１００は容器２００のためのブランク１０の部品と非常に類似した部品を有し、このため、これらの部品は同じ参照番号で示されている。しかしながら、ブランク７００は、容器２００ではなく、ライナーバッグ６００に形成されることに留意されたい。インナーライナーバッグ６００のためのブランク７００は、長方形の形状を有する。各側壁３１、３２、３３、３４は、矩形状をなしている。また、ベース１３は、矩形状を有している。ベース周囲折り線３０は直線であり、ブランク１０の全幅に沿って延びている。左前折り線８０、右前折り線８１、右後折り線１８１及び左後折り線１８２も直線である。このブランクから形成される容器は、垂直な側壁を有する。
【０２４９】
ブランク７００は、厚紙ではなく、プラスチックシート又は積層紙シートから作られる。他の流体密封材料も可能である。
【０２５０】
図７１および図７２は図６９のブランク１０と、図７０に示されるブランク７００から形成されるライナーバッグ６００とから形成される容器２００を示し、容器２００は、例えば図１５に示される形状に非常に類似した形状を有する。
【０２５１】
しかしながら、底部は完全には閉じておらず、底部の近くに三角形のギャップ６０２が存在し、バッグ６００が設けられない場合に漏れが生じる。
【０２５２】
バッグ６００は、図７１の右側に示され、容器２００の前壁２０１の内側に取り付けられた前壁部３１を有する。バッグ６００の後壁部分は、容器２００の後壁２０４に接続されている。バッグ６００の開口部２８は、容器２００の開口部２８と整列している。バッグ６００は流体密であるので、バッグ１００を含む容器２００も流体密である。
【０２５３】
容器２００は一般に、前の実施形態と同様に、折り畳まれた状態で保管される。折り畳まれた状態では、伸ばされたバッグ６００も折り畳まれる。容器は前の実施形態と同じ方法で、すなわち、折り線１４、１５をユーザの手で内側に押すことによって、拡張状態に拡張される。次いで、容器および容器内のバッグ６００の両方が膨張状態に膨張し、容器は使用の準備が整う。
【０２５４】
必要に応じて、本発明の詳細な実施形態が本明細書に開示されるが、開示された実施形態は単に本発明の例示にすぎず、様々な形態で実施することができることを理解されたい。したがって、本明細書に開示される特定の構造および機能の詳細は、限定として解釈されるべきではなく、単に特許請求の範囲の基礎として、および実質的に任意の適切に詳細な構造で本発明を様々に使用することを当業者に教示するための代表的な基礎として解釈されるべきである。さらに、本明細書で使用される用語および語句は、限定することを意図するものではなく、むしろ、本発明の理解可能な説明を提供することを意図するものである。
【０２５５】
本明細書で使用される用語「ａ」または「ａｎ」は、１つまたは２つ以上として定義される。本明細書で使用される用語「別の」は、少なくとも第２またはそれ以上として定義される。本明細書で使用される用語「含む」および／または「有する」は「備える」として定義される（すなわち、オープン言語、他の要素またはステップを除外しない）。特許請求の範囲におけるいかなる参照符号も、特許請求の範囲または本発明の範囲を限定するものとして解釈されるべきではない。
【０２５６】
特定の手段が相互に異なる従属請求項に記載されているという単なる事実は、これらの手段の組み合わせが有利に使用されることができないことを示すものではない。
【図１】
2020507430.tif 000003
【図２】
2020507430.tif 000004
【図３】
2020507430.tif 000005
【図４】
2020507430.tif 000006
【図５】
2020507430.tif 000007
【図６】
2020507430.tif 000008
【図７】
2020507430.tif 000009
【図８】
2020507430.tif 000010
【図９】
2020507430.tif 000011
【図１０】
2020507430.tif 000012
【図１１】
2020507430.tif 000013
【図１２】
2020507430.tif 000014
【図１３Ａ】
2020507430.tif 000015
【図１３Ｂ】
2020507430.tif 000016
【図１４】
2020507430.tif 000017
【図１５】
2020507430.tif 000018
【図１６】
2020507430.tif 000019
【図１７】
2020507430.tif 000020
【図１８】
2020507430.tif 000021
【図１９Ａ】
2020507430.tif 000022
【図１９Ｂ】
2020507430.tif 000023
【図１９Ｃ】
2020507430.tif 000024
【図２０Ａ】
2020507430.tif 000025
【図２０Ｂ】
2020507430.tif 000026
【図２０Ｃ】
2020507430.tif 000027
【図２１】
2020507430.tif 000028
【図２２】
2020507430.tif 000029
【図２３】
2020507430.tif 000030
【図２４】
2020507430.tif 000031
【図２５】
2020507430.tif 000032
【図２６】
2020507430.tif 000033
【図２７】
2020507430.tif 000034
【図２８】
2020507430.tif 000035
【図２９】
2020507430.tif 000036
【図３０】
2020507430.tif 000037
【図３１】
2020507430.tif 000038
【図３２Ａ】
2020507430.tif 000039
【図３２Ｂ】
2020507430.tif 000040
【図３２Ｃ】
2020507430.tif 000041
【図３２Ｄ】
2020507430.tif 000042
【図３２Ｅ】
2020507430.tif 000043
【図３３】
2020507430.tif 000044
【図３４】
2020507430.tif 000045
【図３５】
2020507430.tif 000046
【図３６】
2020507430.tif 000047
【図３７】
2020507430.tif 000048
【図３８】
2020507430.tif 000049
【図３９】
2020507430.tif 000050
【図４０】
2020507430.tif 000051
【図４１Ａ】
2020507430.tif 000052
【図４１Ｂ】
2020507430.tif 000053
【図４１ｃ】
2020507430.tif 000054
【図４１Ｄ】
2020507430.tif 000055
【図４２Ａ】
2020507430.tif 000056
【図４２Ａ１】
2020507430.tif 000057
【図４２Ａ２】
2020507430.tif 000058
【図４２Ａ３】
2020507430.tif 000059
【図４２Ｂ】
2020507430.tif 000060
【図４２Ｂ１】
2020507430.tif 000061
【図４２Ｂ２】
2020507430.tif 000062
【図４２Ｂ３】
2020507430.tif 000063
【図４３】
2020507430.tif 000064
【図４４】
2020507430.tif 000065
【図４５】
2020507430.tif 000066
【図４６】
2020507430.tif 000067
【図４７】
2020507430.tif 000068
【図４８】
2020507430.tif 000069
【図４９】
2020507430.tif 000070
【図５０】
2020507430.tif 000071
【図５１】
2020507430.tif 000072
【図５２】
2020507430.tif 000073
【図５３】
2020507430.tif 000074
【図５３Ａ】
2020507430.tif 000075
【図５４】
2020507430.tif 000076
【図５４Ａ】
2020507430.tif 000077
【図５５Ａ】
2020507430.tif 000078
【図５５Ｂ】
2020507430.tif 000079
【図５６】
2020507430.tif 000080
【図５７】
2020507430.tif 000081
【図５８】
2020507430.tif 000082
【図５９】
2020507430.tif 000083
【図６０】
2020507430.tif 000084
【図６１】
2020507430.tif 000085
【図６２】
2020507430.tif 000086
【図６３】
2020507430.tif 000087
【図６４】
2020507430.tif 000088
【図６５】
2020507430.tif 000089
【図６６】
2020507430.tif 000090
【図６７】
2020507430.tif 000091
【図６８】
2020507430.tif 000092
【図６９】
2020507430.tif 000093
【図７０】
2020507430.tif 000094
【図７１】
2020507430.tif 000095
【図７２】
2020507430.tif 000096
【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
シート材料から製造された使い捨て容器（２００）であって、
前記使い捨て容器が立つことができるベース（２０６）、前壁（２０１）、右壁（２０２）、左壁（２０３）、前記ベースから上方に延びる後壁（２０４）、上端（２０７）、を備え、
右壁および左壁は、前記ベースから上方に延びる折り線（８０、８１、１８１、１８２）を介して前壁および後壁に接続され、側壁折り線（１４、１５）がベースから上方に延び、
中央ベース折り線（６６）が前記ベースに沿って延び、使い捨て容器は側壁折り線（１４、１５）を展開し、
前記折り線（８０、８１、１８１、１８２）を折り曲げ、中央ベース折り線の周りにベースを展開することによって、折り畳まれた状態から拡張した状態に変形するように構成され、それによって、右壁および左壁を形成し、折り畳まれた使い捨て容器を拡張し、
前壁および後壁が凸状であり、かつ、右壁および左壁は凹状であり、
正面図では前記使い捨て容器が腰部セクション（３５）を有し、前記腰部セクションはベースで前部幅（Ｗ２）よりも小さい前部幅（Ｗ１）を有し、腰部セクション前部幅（Ｗ１）は上端で前部幅（Ｗ３）よりも小さく、前部幅はベースから腰部セクションに向かって徐々に減少し、腰部セクションから上端に向かって徐々に増加し、
右壁および左壁は単一の曲率平面内で実質的に湾曲している、使い捨て容器。
【請求項２】
前記ベースのコーナー（２１４、２１５、２１６、２１７）は、前記使い捨て容器が作られるブランクの外縁（１９９）から内側に距離（Ｄ３）を置いて配置される、請求項１に記載の使い捨て容器。
【請求項３】
使い捨ての小便器を形成する、請求項１又は請求項２に記載の使い捨て容器であって、
前記前壁（２０１）が、
ピー開口部（２０９）、またはピー開口部（２０９）を形成するためにピー開口部領域を内側または外側に折り曲げるために破壊されるように構成され、少なくとも部分的に弱められた周囲（２０８）を有するピー開口部領域（２８）を含み、または、
少なくとも１つの側壁（２０２，２０３）が、
ピー開口部（２０９）、またはピー開口部（２０９）を形成するためにピー開口部領域を内側または外側に折り曲げるために破壊されるように構成され、少なくとも部分的に弱められた周囲（２０８）を有するピー開口部領域（２８）を含む、
使い捨て容器。
【請求項４】
前記上端は、左右のコーナー（２２１、２２２）を内側に押すことによって、ユーザによって開かれ、それによって、上部開口部（２２０）を形成する、請求項１〜３のいずれか一項に記載の使い捨て容器。
【請求項５】
前記前壁（２０１）の内側に取り付けられる内側ライナーバッグ（６００）を含み、前記内側ライナーバッグは、前記前壁の開口部（２８）と整列する開口部を含む、請求項１〜４のいずれか一項に記載の使い捨て容器。
【請求項６】
請求項１〜５のいずれか一項に記載の使い捨て容器に拡張されるように構成された、折り畳まれた使い捨て容器（１００）であって、
前記折り畳まれた使い捨て容器は、シート材料から製造され、
中央ベース折り曲げ線（６６）に沿ってそれ自体の上に折り曲げられたベース（１３）と、
前部（７２）であって、形成される使い捨て容器の前壁（２０１）を画定する中央前部（７３）と、形成される使い捨て容器の左壁（２０３）の前部を画定する左前部（７４）と、形成される使い捨て容器の右壁（２０２）の前部を画定する右前部（７５）と、を含む前部（７２）と、
後部（７６）であって、
形成される使い捨て容器の後壁（２０４）を画定する中央後部と、形成される使い捨て容器の左壁（２０３）の後部を画定する左後部と、形成される使い捨て容器の右壁（２０２）の後部を画定する右後部と、を含む後部（７６）と、
上端（２０７）と、を備え、
中央前部は折り線（８０，８１）を介して左前部及び右前部に接続され、中央後部は折り線（１８１，１８２）を介して左前部及び右後部に接続され、
側壁折り線（１４，１５）は左右に延び、折りたたまれた使い捨て容器の右端（８２）及び左端（８２）を形成し、
中央ベース折り線（６６）はベースセクションに沿って延び、
前記折り畳まれた使い捨て容器は、前記折りたたまれた使い捨て容器の右端（８２）及び左端（８２）を押すことにより、折りたたまれた状態から拡大状態に変形するように構成され、側壁折り線（１４，１５）は左右に展開され、ベースは折りたたまれた使い捨て容器の拡大状態となり、
前壁および後壁は凸状であり、右壁および左壁は凹状であり、
正面図において、前記使い捨て容器は腰部セクション（３５）を有し、腰部セクションはベースにおいて前部幅（Ｗ２）よりも小さい前部幅（Ｗ１）を有し、腰部前部幅は上端において前部幅（Ｗ３）よりも小さく、特に、前部幅はベースから腰部セクションに向かって徐々に減少し、腰部セクションから上端に向かって徐々に増加し、右壁および左壁は、単一の曲率平面において実質的に湾曲している、折り畳まれた使い捨て容器。
【請求項７】
正面図において、右縁部（８２）は右上縁部（８４）および右下縁部（８５）を含み、
左縁部（８３）は左上縁部（８６）および左下縁部（８７）を含み、
ベースがそれ自体の上に折り畳まれていることに起因して、右下縁部は前下右縁部分（８５Ａ）および後右下縁部分（８５Ｂ）を含み、左下縁部は前左下縁部分（８７Ａ）および後左下縁部分（８７Ｂ）を含み、
右上縁部、右下縁部分および右下縁部分は内側に押すことができる折り曲げ線を形成し、それによって、折り畳み式容器の拡張中に右壁を形成し、左上縁部、左下縁部分および左下縁部分は内側に押すことができる折り曲げ線を形成し、それによって、折り畳み式容器の拡張中に左壁を形成する、
請求項６に記載の折り畳まれた使い捨て容器。
【請求項８】
前記前壁（２０１）は、
ピー開口部（２０９）、または前記ピー開口部（２０９）を形成するためにピー開口部領域を内向きまたは外向きに折り曲げるために、少なくとも部分的に弱められ、ピー開口部領域を除去するように破壊されるように構成される周囲（２０８）を有するピー開口部領域（２８）、を含み、または、
少なくとも１つの側壁（２０２、２０３）は、
ピー開口部（２０９）、またはピー開口部（２０９）を形成するためにピー開口部領域を内側または外側に折り曲げるために破壊されるように構成され、少なくとも部分的に弱められた周囲（２０８）を有するピー開口部領域（２８）、を含む、
使い捨て小便器を形成する、請求項６または請求項７に記載の折り畳まれた使い捨て容器。
【請求項９】
請求項２〜８のいずれか一項に記載の折り畳まれた使い捨て容器（１００）を製造するためのブランク（１０）であって、
ベースセクション（１３）、壁セクション（１１）、および上端セクション（１２）を備え、
前記ベースセクションは、ベース折りたたみ線（３０）によって壁セクションとの境界が定められ、
壁セクションは前壁ゾーン（３１）、後壁ゾーン（３２）、右壁ゾーン（３３）、および左壁ゾーン（３４）を含み、
前壁ゾーンおよび後壁ゾーンは右壁ゾーンおよび左壁ゾーンにわたって延在し、
前壁ゾーンおよび後壁ゾーンは前壁ゾーンおよび後壁ゾーンの底部における幅よりも小さく、前壁ゾーンおよび後壁ゾーンの頂部における幅よりも小さい幅を有する腰セクション（３５）を有し、
右壁ゾーンおよび左壁ゾーンは右壁ゾーンおよび左壁ゾーンの底部における幅よりも大きく、かつ左壁ゾーンにおける幅よりも大きい腹部セクション（３６）を有し、
前壁ゾーンおよび後壁ゾーンは前壁ゾーンおよび後壁ゾーンの頂部における幅よりも大きい折りたたまれた使い捨て容器（１００）から形成される容器の前壁および後壁が凸状であり、折りたたまれた使い捨て容器（１００）から形成される容器の右壁および左壁が凹状であり、
折りたたまれた使い捨て容器（１００）から形成される容器の右壁および左壁が、実質的に単一の曲率平面内で湾曲している、ブランク。
【請求項１０】
前記前壁ゾーンは、
ピー開口部（２０９）、または、
ピー開口部領域（２８）であって、少なくとも部分的に脆弱化され、ピー開口部領域を除去するために、またはピー開口部領域を内側または外側に折り曲げるために破壊されるように構成される、ピー開口部（２０９）を形成するために、周囲（２０８）を有するピー開口部領域（２８）を備え、
前記ベースが正方形または長方形の形状を有し、前記ベースが展開されたときに平坦であり、容器が立つことができる表面を形成し、ベースのコーナー（２１４、２１５、２１６、２１７）が、ブランクの外縁（１９９）から内側に距離（Ｄ３）を置いて配置される、
請求項９に記載のブランク。
【請求項１１】
折り畳まれた使い捨て容器のベースのコーナーおよび使い捨て容器のベースのコーナーを形成するように構成されたブランクのコーナー位置（５０、５１、５２、５３）が、ブランクの外縁（１９９）から内側に距離（Ｄ３）を置いて位置する、請求項９又は請求項１０に記載のブランク。
【請求項１２】
前記前壁ゾーンは、
ピー開口部（２０９）、または、
前記ピー開口部（２０９）を形成するためにピー開口部領域を内側または外側に折り曲げるために破壊されるように構成され、少なくとも部分的に弱められた周囲（２０８）を有するピー開口部領域（２８）、を含む、
請求項９〜１１のいずれか一項に記載のブランク。
【請求項１３】
前壁ゾーン（３１）、後壁ゾーン（３２）、右壁ゾーン（３３）および左壁ゾーン（３４）を接着接続によって円周壁に相互接続することを含む、請求項９〜１２のいずれか一項に記載のブランクから、請求項６〜８のいずれか一項に記載の折り畳まれた使い捨て容器を製造する方法。
【請求項１４】
前記折り畳まれた容器内に内側ライナーバッグ（６００）を提供することと、前記内側ライナーバッグの前壁を前記折り畳まれた容器の前壁に取り付けることとを含み、前記内側ライナーバッグは前記前壁内に開口部を含み、前記開口部は、前記折り畳まれた容器の開口部（２８）と位置合わせされる、請求項１３に記載の方法。
【請求項１５】
請求項６〜８のいずれか一項に記載の折り畳まれた容器（１００）から請求項１〜５のいずれか一項に記載の使い捨て容器（２００）を形成する方法であって、請求項６〜８のいずれか一項に記載の折り畳まれた容器（１００）を提供し、折り畳まれた使い捨て容器の左縁部（８３）および右縁部（８２）を内側に押し、凹状の右壁および左壁ならびに凸状の前壁および後壁を形成し、右壁および左壁は実質的に単一の曲率平面内で湾曲している、方法。
【国際調査報告】
2020507430.tif 000097
2020507430.tif 000098
2020507430.tif 000099
2020507430.tif 000100
2020507430.tif 000101